(57)【要約】      （修正有）【課題】本来の散水機能以外に、使用者の利便性を高めるための各種機能を付加して多機能型とすると共に、機能追加による部品点数の増加にもかかわらず各部品をコンパクトに整理して収納することがき、かつ、機能の異なる部品の共存に伴う粗相互の影響を防止することができる多機能型水栓柱を提供する。【解決手段】水栓柱は、略三角形（正三角形の頂点を面取りした異形の六角形状）の外形となる所定長さの柱状の本体部１００の上端部に、同一の略三角形の外形となる所定長さの短い柱状の照明部２００を一体的に固着した構成をなし、本体部１００の正面には、本体部１００の上端付近の所定高さ位置に主給水栓ＵＴが取り付けられ、高さ方向中央付近の所定高さ位置には下部給水栓ＬＴが取り付けられ、本体部１００の背面の左側面には、本体部１００の上端付近の所定高さ位置に防水型の１００ＶコンセントＣ１及び２００ＶコンセントＣ２が取り付けられている。【選択図】図１
2014163058.tif 000002
【特許請求の範囲】
【請求項１】
全体として所定外形の筒状をなす本体部と、前記本体部に取り付けられる照明部とを備える水栓柱であって、
前記本体部は、
前記本体部の内部空間を軸心方向に延び、当該本体部の内部空間を複数の収納空間に区画する複数の区画壁を備える芯材と、
前記芯材の区画壁のうち、第１の隣接する一対の区画壁の先端間に着脱自在に固着されて前記本体部の正面の外側面を構成する第１パネルと、
前記芯材の区画壁のうち、第２の隣接する一対の区画壁の先端間に着脱自在に固着されて前記本体部の背面の外側面を構成する第２パネルと、
前記第１パネルの表面に取り付けられる給水栓と、
前記第２パネルの表面に取り付けられるコンセントと、
前記本体部の内部空間において前記第１パネルの内側に配設されて前記給水栓に給水を行う給水関連部品と、
前記本体部の内部空間において前記第２パネルの内側に配設されて前記コンセントに給電を行うコンセント用の給電関連部品と、
前記本体部の内部空間に配設されて前記照明部に給電を行う照明用の給電関連部品とを備え、
前記第１パネルは、前記第１の一対の区画壁の先端間の間隙を閉塞して当該第１の一対の区画壁との間で第１の収納空間を形成し、当該第１の収納空間に前記給水関連部品を収納自在とし、
前記第２パネルは、前記第２の一対の区画壁の先端間の間隙を閉塞して当該第２の一対の区画壁との間で第２の収納空間を形成し、当該第２の収納空間に前記コンセント用の給電関連部品を収納自在としたことを特徴とする水栓柱。
【請求項２】
更に、前記芯材の区画壁のうち、第３の隣接する一対の区画壁の先端間に着脱自在に固着されて前記本体部の背面の外側面を構成する第３パネルと、
前記第３パネルの表面に取り付けられる第２のコンセントと、
前記本体部の内部空間において前記第３パネルの内側に配設されて前記第２のコンセントに給電を行う第２のコンセント用の給電関連部品とを備え、
前記第３パネルは、前記第３の一対の区画壁の先端間の間隙を閉塞して当該第３の一対の区画壁との間で第３の収納空間を形成し、当該第３の収納空間に前記第２のコンセント用の給電関連部品を収納自在としたことを特徴とする請求項１記載の水栓柱。
【請求項３】
前記給水栓は、前記第１パネルの上端側に取り付けられる上部給水栓と、前記第１パネルの下端側に取り付けられる下部給水栓とを備えることを特徴とする請求項１又は２記載の水栓柱。
【請求項４】
更に、前記本体部の第１の収納空間において前記給水管に接触状態で配設され、前記本体部の設置場所の地表面の気温に応じて前記給水管を凍結防止可能な温度で加温する給水管加温用の電気系統部材を備えることを特徴とする請求項１乃至３のいずれか１項記載の水栓柱。
【請求項５】
前記照明部は、前記本体部に対応する筒状をなして前記本体部の上端に取り付けられ、前記本体部の上端側から前記第１パネルの給水栓及び前記第２パネルのコンセントに向けて発光して当該給水栓及びコンセントを照明自在であることを特徴とする請求項１乃至４のいずれか１項記載の水栓柱。
【請求項６】
前記第１パネルは、下端から所定距離上方の位置に水抜き孔を形成し、前記第１の収納空間に水が進入した場合においてその水位が当該水抜き孔の高さ位置に達したときに、その水を第１パネルの外部に排水自在であることを特徴とする請求項１乃至５のいずれか１項記載の水栓柱。
【発明の詳細な説明】
【技術分野】
【０００１】
本発明は、庭や駐車スペース等に設置される水栓柱に関し、特に、散水機能以外の機能を付加した多機能型の水栓柱に関する。
【背景技術】
【０００２】
従来、庭や駐車スペース等の所定の場所には、手洗い等のための給水等をするために散水栓（屋外に散水目的で設置される給水栓）を設置することがあり、この際に、散水栓の高さ位置が使用者の作業が容易な位置となるよう、水栓柱を設置して当該水栓柱の上端部等に散水栓を取り付けることがある。一般的な水栓柱は、このように、単に上端部等に散水栓を取り付けたものであるが、かかる水栓柱に凍結防止機能を付加すると共に、水栓柱を地中に埋設した状態のままで、水栓柱に配設した切り換え弁の取り外し、交換等が可能な不凍水栓柱の提供を課題とした発明として、特許文献１に開示の発明がある。
【０００３】
特許文献１は、上記課題を達成するための手段として、その要約に記載のように、上側パイプと下側パイプとで構成される柱部材の下部に、配管に接続する接続管を取り付け、その上方で、中央に貫通孔を有するベースを柱部材に固定し、さらにその上方に切り換え弁を配置する。切り換え弁は、スピンドル押さえ、立ち上がり管、ボンネットエルボ等を介して、柱部材の上に載置された上部キャップに支持される。また、シャフトが設けられ、その下端はベースにネジ結合で固定され、上端はボルトを用いて上部キャップに固定される。更に、ベースと接続管との間に止水弁体がスプリングに付勢されて配置される。そして、ボルトを外すと、上側パイプと一緒に切り換え弁を取り外せ、その際止水弁体がベースの貫通孔を封鎖し、止水するようになるとされている。
【先行技術文献】
【特許文献】
【０００４】
【特許文献１】特開２００１−１１５５０５号公報
【発明の概要】
【発明が解決しようとする課題】
【０００５】
ここで、上記特許文献１に記載の発明も含め、従来の水栓柱は、その本来の目的からして当然ながら、散水機能以外の機能を付加する場合も、散水栓による散水機能に着目している。（例えば、特許文献１は、冬季等の外気温低下による配管内の原水凍結によって散水機能が阻害されることを防止すべく凍結防止機能を付加すると共に、当該凍結防止機能に関連して、水栓柱への切り換え弁の着脱を容易にするために着脱機能を付加する構造を提案している。）一方、本発明者らは、水栓柱本来の目的である散水機能と別観点から利用者に価値及び有用性を提供できる付加機能を模索し、鋭意研究を続けた結果、多機能型の水栓柱の概念に想到し、かかる多機能型の水栓柱についての具体化について更に鋭意の研究開発を重ねた結果、本発明に係る水栓柱の発明創作を完成するに至った。
【０００６】
即ち、本発明は、本来の散水機能以外に、使用者の利便性を高めるための各種機能を付加して多機能型とすると共に、機能追加による部品点数の増加にもかかわらず各部品をコンパクトに整理して収納することがき、かつ、機能の異なる部品が共存することに伴う粗相互の影響を（例えば、何らかの不具合の発生）を防止することができる多機能型の水栓柱の提供を課題とする。
【課題を解決するための手段】
【０００７】
本発明に係る水栓柱は、全体として所定外形の筒状をなす本体部と、前記本体部に取り付けられる照明部とを備える水栓柱である。前記本体部は、前記本体部の内部空間を軸心方向に延び、当該本体部の内部空間を複数の収納空間に区画する複数の区画壁を備える芯材と、前記芯材の区画壁のうち、第１の隣接する一対の区画壁の先端間に着脱自在に固着されて前記本体部の正面の外側面を構成する第１パネルと、前記芯材の区画壁のうち、第２の隣接する一対の区画壁の先端間に着脱自在に固着されて前記本体部の背面の外側面を構成する第２パネルと、前記第１パネルの表面に取り付けられる給水栓と、前記第２パネルの表面に取り付けられるコンセントと、前記本体部の内部空間において前記第１パネルの内側に配設されて前記給水栓に給水を行う給水管関連部品と、前記本体部の内部空間において前記第２パネルの内側に配設されて前記コンセントに給電を行うコンセント用の給電関連部品と、前記本体部の内部空間に配設されて前記照明部に給電を行う照明用の給電関連部品とを備えている。前記第１パネルは、前記第１の一対の区画壁の先端間の間隙を閉塞して当該第１の一対の区画壁との間で第１の収納空間を形成し、当該第１の収納空間に前記給水関連部品を収納自在としている。また、前記第２パネルは、前記第２の一対の区画壁の先端間の間隙を閉塞して当該第２の一対の区画壁との間で第２の収納空間を形成し、当該第２の収納空間に前記コンセント用の給電関連部品を収納自在としている。
【０００８】
また、本発明に係る水栓柱は、上記構成において、更に、前記芯材の区画壁のうち、第３の隣接する一対の区画壁の先端間に着脱自在に固着されて前記本体部の背面の外側面を構成する第３パネルと、前記第３パネルの表面に取り付けられる第２のコンセントと、前記本体部の内部空間において前記第３パネルの内側に配設されて前記第２のコンセントに給電を行う第２のコンセント用の給電関連部品とを備える構成とし、前記第３パネルが、前記第３の一対の区画壁の先端間の間隙を閉塞して当該第３の一対の区画壁との間で第３の収納空間を形成し、当該第３の収納空間に前記第２のコンセント用の給電関連部品を収納自在とするようにしてもよい。
【発明の効果】
【０００９】
本発明に係る水栓柱は、上記のように構成したため、本来の散水機能以外に、使用者の利便性を高めるための各種機能を付加して多機能型とすると共に、機能追加による部品点数の増加にもかかわらず各部品をコンパクトに整理して収納することがき、かつ、機能の異なる部品が共存することに伴う粗相互の影響を（例えば、何らかの不具合の発生）を防止することができるという特有の効果を発揮する。
【図面の簡単な説明】
【００１０】
【図１】図１は本発明の実施の形態に係る水栓柱の全体構成を示す斜視図であって、（ａ）は右上側から見た状態を示し、（ｂ）は左上側から見た状態を示す。
【図２】図２は本発明の実施の形態に係る水栓柱の全体構成を示す正面図であって、一部構成部材を拡大して示す。
【図３】図３は本発明の実施の形態に係る水栓柱の全体構成を示し、（ａ）は右側面図であり、（ｂ）は左側面図である。
【図４】図４は本発明の実施の形態に係る水栓柱を示し、（ａ）は平面図であり、（ｂ）は底面図である。
【図５】図５は本発明の実施の形態に係る水栓柱を示し、（ａ）は図１のＡ−Ａ線断面図であり、（ｂ）は図１のＢ−Ｂ線断面図である。
【図６】図６は本発明の実施の形態に係る水栓柱を示し、（ａ）は図１のＣ−Ｃ線断面図であり、（ｂ）は図１のＤ−Ｄ線断面図である。
【図７】図７は本発明の実施の形態に係る水栓柱を示し、（ａ）は図１のＥ−Ｅ線断面図であり、（ｂ）は図１のＦ−Ｆ線断面図である。
【図８】図８は図４のＧ−Ｇ線断面図であって、一部構成を拡大して示す。
【図９】図９は本発明の実施の形態に係る水栓柱の全体構成を示し、（ａ）は図４のＩ−Ｉ線断面図であり（一部構成を拡大して示す）、（ｂ）は図４のＨ−Ｈ線断面図である。
【図１０】図９は本発明の実施の形態に係る水栓柱を水平方向に切断して上側から見た状態を示す断面図であって、（ａ）は上部給水栓取付孔部分で切断したものを示し、（ｂ）はコンセント取付孔部分で切断したものを示し、（ｃ）は電線挿通口部分で切断したものを示す。
【図１１】図１１は本発明の実施の形態に係る水栓柱の本体部及び照明部を示す斜視図であって、（ａ）は右上側から見た状態を示し、（ｂ）は左上側から見た状態を示す。
【図１２】図１２は本発明の実施の形態に係る水栓柱の本体部及び照明部を示す正面図である。
【図１３】図１３は本発明の実施の形態に係る水栓柱の本体部及び照明部を示し、（ａ）は右側面図であり、（ｂ）は左側面図である。
【図１４】図１４は本発明の実施の形態に係る水栓柱の照明部を示し、（ａ）は図１２のＪ−Ｊ線断面図であり、（ｂ）は図１２のＫ−Ｋ線断面図である。
【図１５】図１５は図１２のＬ−Ｌ線断面図であり、一部構成を拡大して示す。
【図１６】図１６は本発明の実施の形態に係る水栓柱のフレーム構造としての本体部を示す分解斜視図である。
【図１７】図１７は本発明の実施の形態に係る水栓柱の第１のパネル及び第１の収納空間に配設される部材を示す分解斜視図である。
【図１８】図１８は本発明の実施の形態に係る水栓柱の第２のパネル及び第３のパネルを正面側から見て示す斜視図であって、（ａ）は第２のパネルから２００Ｖコンセントを分解した状態を示し、（ｂ）は第３のパネルから１００Ｖコンセントを分解した状態を示す。
【図１９】図１９は本発明の実施の形態に係る水栓柱の第２のパネル及び第３のパネルを背面側から見て示す斜視図であって、（ａ）は第２のパネルから２００Ｖコンセントを分解した状態を示し、（ｂ）は第３のパネルから１００Ｖコンセントを分解した状態を示す。
【図２０】図２０は本発明の実施の形態に係る水栓柱の全体構成を示す背面図であって、本体部から２００Ｖコンセント及び１００Ｖコンセントを分解した状態を示す。
【図２１】図２１は本発明の実施の形態に係る水栓柱の照明部を示す分解斜視図である。
【図２２】図２２は本発明の実施の形態に係る水栓柱の本体部及び照明部を設置した状態を示す正面図である。
【図２３】図２３は本発明の実施の形態に係る水栓柱の設置状態を示す断面図である。
【図２４】図２４は本発明の実施の形態に係る水栓柱の設置状態を示す背面図であって、本体部から２００Ｖコンセント及び１００Ｖコンセントを分解した状態を示すと共に、本体部の下半部を断面で示す。
【図２５】図２５は図１５の断面図に対応する位置での本体部の筺体の断面図であり、筺体内の第１の収納空間における給水管の位置関係（特に、筺体の中心位置と給水管の中心位置との位置関係）と、第２〜第３の収納空間における給電関連部材の位置関係を説明するためのものである。
【発明を実施するための形態】
【００１１】
以下、本発明を実施するための形態（以下、実施の形態という）を説明する。なお、各実施の形態を通じ、同一の部材、要素または部分には同一の符号を付して、その説明を省略する。
【００１２】
実施の形態
［全体構成］
本発明に係る水栓柱は、庭園や一般家庭の駐車場等、散水や給水を必要とする所定の設置場所に立設固定して使用されるものであり、「ガーデンポール」とも呼ばれている。図１に示すように、水栓柱は、略三角形の外形（輪郭）となる所定長さ（所定高さ）の柱状の本体部１００の上端部に、同一の略三角形の外形となる所定長さの短い柱状の照明部２００を一体的に固着した構成である。水栓柱は、図２に示すように、略三角形の外形となる略三角形の３つの面のうちの１つの面（図２に示す面）を正面として配置した状態で使用される。かかる本体部１００の正面には、本体部１００の上端付近の所定高さ位置に主給水栓としての上部給水栓ＵＴが取り付けられ、高さ方向中央付近の所定高さ位置には補助給水栓としての下部給水栓ＬＴが取り付けられている。また、水栓柱は、図３に示すように、略三角形の外形となる略三角形の３つの面のうちの前記正面以外の２つの面を、それぞれ、正面に対して傾斜状となる右背面（図３（ａ）に示す面）及び左背面（図３（ｂ）に示す面）として配置した状態で使用される。かかる本体部１００の背面の左側面には、本体部１００の上端付近の所定高さ位置（前記上部水栓ＵＴの取付高さ位置より若干下方の高さ位置）に防水型の１００ＶコンセントＣ１が取り付けられ、また、本体部１００の上端付近の所定高さ位置（前記１００Ｖコンセントボックスの取付高さ位置と同一の高さ位置）に電気自動車（ＥＶ）充電用のコンセント口（プラグ差し込み口）を備える防水型の２００ＶコンセントＣ２が取り付けられている。図４（ａ）の平面図及び図４（ｂ）の底面図に示すように、水栓柱の外形となる略三角形状は、詳細には、正三角形の頂点を（対向する辺と平行な面となるよう）面取りした異形の六角形状である。以下、説明の便宜上、本体部１００の外形となる異形の六角形状を「異形六角形状」といい、同異形六角形状のうち上記正三角形の辺を構成する部分の外側面を「主外側面」といい、同異形六角形状のうち上記正三角形の頂点部分の面取部の外側面を「副外側面」ということがある。
【００１３】
［本体部の筺体］
図１６に示すように、本体部１００は、フレーム構造として、第１パネル１１０、第２パネル１２０及び第３パネル１３０、並びに、芯材１４０を備えている。図１５に示すように、芯材１４０に対して合計３枚の第１〜第３パネル１１０，１２０，１３０を嵌合（スナップフィット）により組み付けることにより、本体部１００のフレーム構造乃至本体部１００の筺体を完成するようにしている。
【００１４】
＜第１〜第３パネル＞
詳細には、図１６及び図１７に示すように、第１パネル１１０は、全体として、本体部１００と同一高さの略帯板状乃至縦長の略長方形板状をなしている。また、第１パネル１１０は、図１５に示すように、幅方向中央部となる所定幅の帯板状乃至縦長の長方形板状をなす支持部１１１と、支持部１１１の幅方向両端から内側（芯材１４０側）に向かって所定角度で屈曲して延びる左右一対の嵌合部１１２とから構成され、断面略チャンネル状（凹状）をなしている。左右一対の嵌合部１１２は同一幅とされると共に、それぞれ、支持部１１１と同一高さを有して支持部１１１の全長に沿って延びる幅狭帯板状をなしている。また、図１５に示すように、各嵌合部１１２の先端部には、内面側に向かって突出する係止部１１３が一体形成されている。以上が、第１パネル１１０の係止部１１３を含む全体構造であり、第２パネル１２０及び第３パネル１３０も、同様の全体構造を有している。即ち、第２パネル１２０は、第１パネル１１０と同一高さの略帯板状をなすと共に、第１パネル１１０の支持部１１１及び嵌合部１１２と同様の構成となる支持部１２１及び左右一対の嵌合部１２２から構成された断面略チャンネル状をなしている。また、第２パネル１２０の嵌合部１２２の先端部には、第１パネル１１０の係止部１１３と同様の構成の、内面側に向かって突出する係止部１２３が一体形成されている。同様に、第３パネル１３０は、第１パネル１１０と同一高さの略帯板状をなすと共に、第１パネル１１０の支持部１１１及び嵌合部１１２と同様の構成となる支持部１３１及び左右一対の嵌合部１３２から構成された断面略チャンネル状をなしている。また、第３パネル１３０の嵌合部１３２の先端部には、第１パネル１１０の係止部１１３と同様の構成の、内面側に向かって突出する係止部１３３が一体形成されている。
【００１５】
＜芯材＞
芯材１４０は、図１５に示すように、略半円筒状をなす保持機能付き区画壁１４１と、第１の係合機能付き区画壁１４２及び第２の係合機能付き区画壁１４３と、第３の係合機能付き区画壁１４４とからなる異形の断面形状を有し、この断面形状で、本体部１００の全長（高さ方向全体）に連続的に延びている。以下、保持機能付き区画壁１４１と、第１の係合機能付き区画壁１４２及び第２の係合機能付き区画壁１４３と、第３の係合機能付き区画壁１４４との相互の位置関係乃至配置態様を、芯材１４０に対して第１〜第３パネル１１０，１２０，１３０を組み付けて本体部１００のフレーム構造を完成した状態における本体部１００との位置関係を利用して説明する。
【００１６】
＜保持機能付き区画壁＞
まず、第１〜第３パネル１１０，１２０，１３０を組み付けて本体部１００のフレーム構造を完成したときに、保持機能付き区画壁１４１は、その周方向の中央位置が、図１５に示す本体部１００の平面方向の中心点Ｏ（実際に本体部１００に設けられる部分乃至要素ではなく、説明の便宜上のための仮想の中心点）に対して、本体部１００の後端側の副外側面１００Ｆ寄りに配置され、その中央から左右に延びる左右一対の四分円弧状部分が、当該本体部１００の中心点Ｏを包囲するように、本体部１００の正面側にある右側の副外側面１００Ｄ及び左側の副外側面１００Ｅに向かってそれぞれ湾曲して延びている。また、このとき、保持機能付き区画壁１４１の左右の両先端は、本体部１００の中心点Ｏを超えて第１パネル１１０に近づく位置まで延びている。詳細には、本体部１００に立上り管１５０を組み付けたときに、保持機能付き区画壁１４１の左右両端が、立上り管１５０の左右に延びる直径方向の延長線（仮想線）上にほぼ位置するよう、保持機能付き区画壁１４１の延出長さ（即ち、半円状の周長）が設定されている。また、半円状の保持機能付き区画壁１４１の直径（乃至半径）は、保持機能付き区画壁１４１の内周面と本体部１００内に組み付けた立上り管１５０の外周面との間に、所定間隔の円筒状の空間が形成されるよう、設定されている。即ち、保持機能付き区画壁１４１の直径は、その周方向中央位置と本体部１００内に組み付けた立上り管１５０の外周面との間の間隔のほぼ中央位置に、前記本体部１００の中心点Ｏが来るように設定されている。
【００１７】
次に、第１の係合機能付き区画壁１４２は、保持機能付き区画壁１４１の周方向一端（左端）から、本体部１００の正面側の第１パネル１１０の右端位置（即ち、第１パネル１１０と第２パネル１２０との接合境界位置であって、正面右側の副外側面１００Ｄの幅方向中央位置）へ向かって、右方に傾斜して延びている。また、第２の係合機能付き区画壁１４３は、保持機能付き区画壁１４１の周方向他端（左端）から、本体部１００の正面側の第１パネル１１０の左端位置（即ち、第１パネル１１０と第３パネル１３０との接合境界位置であって、正面左側の副外側面１００Ｅの幅方向中央位置）へ向かって、左方に傾斜して延びている。更に、第３の係合機能付き区画壁１４４は、保持機能付き区画壁１４１の周方向中央位置から、本体部１００の背面側の第２パネル１２０と第３パネル１３０との接合境界位置（即ち、背面側の副外側面１００Ｆの幅方向中央位置）へと後方に（保持機能付き区画壁１４１の周方向中央位置と）直交して延びている。ここで、第１の係合機能付き区画壁１４２及び第２の係合機能付き区画壁１４３は、保持機能付き区画壁１４１の左右両側に設けられる点を除き、その寸法及び各部の構成ともに同様の構成を備えている。また、第３の係合機能付き区画壁１４４は、保持機能付き区画壁１４１の後側に設けられる点と、第１の係合機能付き区画壁１４２及び第２の係合機能付き区画壁１４３よりも全長が大きい点を除き、第１の係合機能付き区画壁１４２及び第２の係合機能付き区画壁１４３と同様の構成を備えている。
【００１８】
＜係合機能付き区画壁＞
詳細には、第１の係合機能付き区画壁１４２は、図１５中の一点鎖線で描く右下側の円内に拡大して示すように、所定長さで直線状に延びる帯板状をなす基部１４２ａと、基部１４２ａの先端に一体形成されて基部１４２ａの一側に開口する断面Ｃ字状の筒状をなすビス孔部１４２ｂと、ビス孔部１４２ｂの先端に一体形成されて副外側面１００Ｄの幅方向中央位置まで直線的に延びる（前記基部１４２ａより相当幅狭の）帯板状をなす境界画定部１４２ｃと、境界画定部１４２ｃの幅方向略中央位置で境界画定部１４２ｃと略直交する方向に張り出して一体形成される左右一対のリップ状をなす係合部１４２ｄ，１４２ｅ，１４２ｆとからなる。同様に、第２の係合機能付き区画壁１４３は、図１５中の一点鎖線で描く左下側の円内に拡大して示すように、前記第１の係合機能付き区画壁１４２の基部１４２ａと同様の基部１４３ａと、前記ビス孔部１４２ｂと同様のビス孔部１４３ｂと、前記境界画定部１４２ｃと同様の境界画定部１４３ｃと、前記係合部１４２ｄ，１４２ｅ，１４２ｆと同様の係合部１４３ｄ，１４３ｅ，１４３ｆとからなる。同様に、第３の係合機能付き区画壁１４４は、図１５中の一点鎖線で描く上側の円内に拡大して示すように、前記第１の係合機能付き区画壁１４２の基部１４２ａより幅広とされた以外は同様の構成となる帯板状の基部１４４ａと、前記ビス孔部１４２ｂと同様のビス孔部１４４ｂと、前記境界画定部１４２ｃと同様の境界画定部１４４ｃと、前記係合部１４２ｄ，１４２ｅ，１４２ｆと同様の係合部１４４ｄ，１４４ｅ，１４４ｆとからなる。
【００１９】
＜空間の区画及び収納空間＞
ここで、第１の係合機能付き区画壁１４２は、右側の副外側面１００Ｄの幅方向中央位置から本体部１００の中心点Ｏに向かって延びている（即ち、本体部１００の異形六角形を構成する頂点を面取りした正三角形の頂点位置から中心点Ｏ乃至対向する主外側面１００Ｃの幅方向中央に向かって延びている）。また、第２の係合機能付き区画壁１４３は、左側の副外側面１００Ｅの幅方向中央位置から本体部１００の中心点Ｏに向かって延びている（即ち、前記三角形の頂点位置から中心点Ｏ乃至対向する主外側面１００Ｂの幅方向中央に向かって延びている）。更に、第３の係合機能付き区画壁１４４は、後側の副外側面１００Ｆの幅方向中央位置から本体部１００の中心点Ｏに向かって延びている（即ち、前記三角形の頂点位置から中心点Ｏ乃至対向する主外側面１００Ａの幅方向中央に向かって延びている）。そして、第１の係合機能付き区画壁１４２は、保持機能付き区画壁１４１の右半部と協働して、本体部１００内の空間を正面側の第１の空間と右背面側の第２の空間とに区画する。また、第２の係合機能付き区画壁１４３は、保持機能付き区画壁１４１の左半部と協働して、本体部１００内の空間を正面側の第１の空間と左背面側の第３の空間とに区画する。更に、第３の係合機能付き区画壁１４４は、単体で、本体部１００内の空間を右背面側の第２の空間と左背面側の第３の空間とに区画する。これにより、本実施の形態では、保持機能付き区画壁１４１の右半部と第１の係合機能付き区画壁１４２とからなる区画壁部分、保持機能付き区画壁１４１の左半部と第２の係合機能付き区画壁１４３とからなる区画壁部分、及び、第３の係合機能付き区画壁１４４により、上記の（正三角形の頂点を面取りした）異形六角形に対応する断面形状の本体部１００内の空間が、（当該正三角形の頂点と中心とを結ぶ３つの線により当該正三角形を区画した、各々が二等辺三角径の両角部を面取りした断面形状となるような断面形状の）３つの所定断面積及び所定容積（背面側の２つの空間は同一断面積及び同一容積）を有する空間に区画される。この３つの空間のうち、正面側の空間は、前記立上り管１５０を収容する給水構造用の収納空間となり、右背面側の空間は、前記１００ＶコンセントＣ１の取付器具の内部構造や１００Ｖ電源の配線としての電線Ｗ１等を収容する１００Ｖ給電構造用の収納空間となり、左背面側の空間は、前記２００ＶコンセントＣ２の取付器具の内部構造や２００Ｖ電源の配線としての電線Ｗ２等を収容する２００Ｖ給電構造用の収納空間となる。
【００２０】
＜ビス止め構造＞
第１の係合機能付き区画壁１４２のビス孔部１４２ｂは、その内径に対応する所定径の（締結手段としての）ビスを螺入して固定自在であり、第２の係合機能付き区画壁１４３のビス孔部１４３ｂは、その内径に対応する所定径のビスを螺入して固定自在であり、第３の係合機能付き区画壁１４４のビス孔部１４４ｂは、その内径に対応する所定径のビスを螺入して固定自在である。そして、後述するように、照明部２００の台座２１０側の３個のビス乃至ねじを、それぞれ、ビス孔部１４２ｂ、ビス孔部１４３ｂ及びビス孔部１４４ｂに螺入締結して、照明部２００を本体部１００に固定するようになっている。
【００２１】
＜副外側面の境界線＞
第１の係合機能付き区画壁１４２の境界画定部１４２ｃは、第１パネル１１０の右側の嵌合部１１２の先端面と第２パネル１２０の左側の嵌合部１２２の先端面との間に、その先端部が挟持されると共にその先端面が露出して、副外側面１００Ｄの幅方向中央で第１パネル１１０と第２パネル１２０との間の境界線を表し、これにより、独特の意匠的効果等を発揮するようになっている。同様に、第２の係合機能付き区画壁１４３の境界画定部１４３ｃは、第１パネル１１０の左側の嵌合部１１２の先端面と第３パネル１３０の右側の嵌合部１３２の先端面との間で、その先端部が挟持されると共にその先端面が露出して、副外側面１００Ｅの幅方向中央で第１パネル１１０と第３パネル１３０との間の境界線を表し、これにより、独特の意匠的効果等を発揮するようになっている。同様に、第３の係合機能付き区画壁１４４の境界画定部１４４ｃは、第２パネル１２０の右側の嵌合部１２２の先端面と第３パネル１３０の左側の嵌合部１３２の先端面との間で、その先端部が挟持されると共にその先端面が露出して、副外側面１００Ｆの幅方向中央で第２パネル１２０と第３パネル１３０との間の境界線を表し、これにより、独特の意匠的効果等を発揮するようになっている。
【００２２】
＜パネルの嵌合構造＞
第１の係合機能付き区画壁１４２の係合部は、基端側から先端側に向かって、係合凹部１４２ｄ、案内部１４２ｅ及び弾性部１４２ｆを連続的に一体形成したリップ状をなしている。具体的には、係合凹部１４２ｄは、案内部１４２ｅの基端と境界画定部１４２ｃの（係合部よりも）先端側部分の厚さ方向側面との間で、前記第１パネル１１０の係止部１１３や第２パネルの係止部１２３を密嵌して係止自在な凹部状をなしている。また、案内部１４２ｅは、その外側面を弾性部１４２ｆから係合凹部１４２ｄに向かって外方に傾斜する傾斜状の案内面とし、第１パネル１１０の右側の嵌合部１１２や第２パネル１２０の左側の嵌合部１２２を第１の係合機能付き区画壁１４２に嵌合するときに、係止部１１３や係止部１１３の内面側を当接させて案内して係合凹部１４２ｄ内への嵌合を容易にするようになっている。更に、弾性部１４２ｆは、係合凹部１４２ｄに係止部１１３や係止部１２３を嵌合して係止した状態で、第１パネル１１０の嵌合部１１２や第２パネル１２０の嵌合部１２２の内側面から若干離間した位置に配置されて嵌合部１１２や嵌合部１２２の内側面との間にドライバー等の棒状の操作具等を挿入して操作自在な隙間空間を形成し、第１パネル１１０や第２パネル１２０を芯材１４０から取り外す必要がある場合に、当該隙間空間に操作具等を挿入し、弾性部１４２ｆを本体部１００の内側（第１パネル１１０や第２パネル１２０から更に離間する方向）に押圧して弾性変形させ、これに伴って案内部１４２ｅ及び係合凹部１４２ｄを本体部１００の内側に移動させることにより、係合凹部１４２ｄを係止部１１３や係止部１２３から離脱させて、係止部１１３や係止部１２３の係合を解除することができるようにしている。
【００２３】
同様に、第２の係合機能付き区画壁１４３の係合部は、前記第１の係合機能付き区画壁１４２の係合凹部１４２ｄ、案内部１４２ｅ及び弾性部１４２ｆと同様の構成の係合凹部１４３ｄ、案内部１４３ｅ及び弾性部１４３ｆからなり、案内部１４３ｅにより第１パネル１１０の係止部１１３や第３パネル１３０の係止部１３３の内側面を摺動により移動案内した後、係合凹部１４３ｄにより第１パネル１１０の係止部１１３や第３パネル１３０の係止部１３３を密嵌して係止し、必要に応じて、弾性部１４３ｆにより第１パネル１１０や第２パネル１２０の芯材１４０からの取り外しを許容するようになっている。同様に、第３の係合機能付き区画壁１４４の係合部は、前記第１の係合機能付き区画壁１４２の係合凹部１４２ｄ、案内部１４２ｅ及び弾性部１４２ｆと同様の構成の係合凹部１４４ｄ、案内部１４４ｅ及び弾性部１４４ｆからなり、案内部１４４ｅにより第２パネル１２０の係止部１２３や第３パネル１３０の係止部１３３の内側面を摺動により移動案内した後、係合凹部１４４ｄにより第２パネル１２０の係止部１２３や第３パネル１３０の係止部１３３を密嵌して係止し、必要に応じて、弾性部１４４ｆにより第２パネル１２０や第３パネル１３０の芯材１４０からの取り外しを許容するようになっている。
【００２４】
上記のように、芯材１４０に第１〜第３パネル１１０，１２０，１３０を嵌合して組み付けることにより本体部１００の筺体が完成するが、このとき、第１〜第３パネル１１０，１２０，１３０は、その材質（例えばアルミ材）の有する弾性により、各々についての各一対の鉤状の係止部１１３，１２３，１３３が、互いに対向する方向（即ち、芯材１４０の係合凹部１４２ｄ，１４３ｄ，１４４ｄとの対向面に当接する内側方向）に付勢されているため、第１〜第３パネル１１０，１２０，１３０の係止部１１３，１２３，１３３を芯材１４０の係合凹部１４２ｄ，１４３ｄ，１４４ｄに一旦嵌合して組み付けると、係止部１１３，１２３，１３３が係合凹部１４２ｄ，１４３ｄ，１４４ｄに対して強固に固定され、意図して取り外そうとする外力及び操作を加えない限り、第１〜第３パネル１１０，１２０，１３０が芯材１４０から離脱することはない。このように、本体部１００の筺体は、その組み立てのための接着やねじ止め等の手間を省くことができ、作業性を向上することができる。また、上記のとおり、本体部１００の筺体は、その材質（アルミ材等）による応力等を利用して構成部品としての第１〜第３パネル１１０，１２０，１３０と芯材１４０とを相互に完全密着状態で組み立てることができるため、第１〜第３パネル１１０，１２０，１３０が意図せずに自然に芯材１４０から外れるということはなく、また、第１〜第３パネル１１０，１２０，１３０と芯材１４０とが互いに上下に位置ずれする等の不具合も発生し難く、第１〜第３パネル１１０，１２０，１３０と芯材１４０との組み立て状態を堅固に安定した状態で維持することができる一方、人の手による所定の操作（例えば、上記したような操作具を使用した操作）により、第１〜第３パネル１１０，１２０，１３０を芯材１４０から取り外すことも容易である。
【００２５】
＜材料等＞
上記の第１パネル１１０、第２パネル１２０、第３パネル１３０及び芯材１４０は、それぞれ、上記の形状（断面形状及び外観形状）となるよう、所定材料（好ましくはアルミニウム材等の耐食性・耐候性の金属材料）により、所定の成形方法（押出成形等）を使用して一体成形される。なお、芯材１４０は、本実施の形態では、上記の持機能付き区画壁１４１、第１の係合機能付き区画壁１４２、第２の係合機能付き区画壁１４３及び第３の係合機能付き区画壁１４４からなる異形の断面形状で、本体部１００の全長にわたって連続的に延びるよう構成されているが、必要に応じて、保持機能付き区画壁１４１、第１の係合機能付き区画壁１４２、第２の係合機能付き区画壁１４３、第３の係合機能付き区画壁１４４のいずれか一以上の長さ方向の一部を切除する等して、部分的に異なる断面形状とすることも可能である。
【００２６】
また、本体部１００の正面側の主外側面１００Ａ、右背面側の主外側面１００Ｂ及び左背面側の主外側面１００Ｃを構成する第１パネル１１０の外側面、第２パネル１２０の外側面及び第３パネル１３０の外側面は、それぞれ、その成形加工時の加工処理（例えば、押出成形に伴う凹凸形成処理）によって、縦縞状乃至縦ストライプ状の細かな凹凸面とされ、当該ストライプ状の凹凸面により本体部１００の主外側面１００Ａ，１００Ｂ，１００Ｃに独特の意匠的効果を付与している。
【００２７】
［本体部の外部構造及び内部構造］
＜第１パネルと立上り管＞
一方、図１１、図１２、図１６及び図１７に示すように、第１パネル１１０は、支持部１１１の上端付近に所定高さ位置（前記上部給水栓ＵＴの取付位置）に上部給水栓取付孔１１１ａを穿設し、支持部１１１の高さ方向中央付近の所定高さ位置（前記下部給水栓ＬＴの取付高さ位置）に下部給水栓取付孔１１１ｂを穿設し、支持部１１１の下端から所定距離だけ上方の位置となる所定高さ位置に配管取付孔１１１ｃを穿設している。また、支持部１１１の内面側の幅方向中央に沿って、図１７に示す立上り管１５０が上下方向に立設して配設される。この立上り管１５０は、（上流側となる）下部給水管１５１及び（下流側となる）上部給水管１５２と、下部配管継手１５３及び（高さ方向中央部で給水栓継手となる）分岐継手１５４及び上部給水栓継手１５５とからなる。下部配管継手１５３は、その上端側（下流側）の取付口が下部給水管１５１の下端に水密に接合されると共に、その下端側（上流側）の取付口が第１パネル１１０の支持部１１１の内部側から配管取付孔１１１ｃに嵌合又は挿通して外部に露出されて外部配管の先端を水密に連結するようになっている。また、分岐継手１５４は、その下端側（上流側）の取付口及び上端側（下流側）の取付口に、それぞれ、下部給水管１５１及び上部給水管１５２を水密に連結すると共に、中央側の取付口が第１パネル１１０の支持部１１１の内部側から下部給水栓取付孔１１１ｂに嵌合又は挿通して外部に露出されて前記下部給水栓ＬＴの基端の給水口を第１パネル１１０の支持部１１１の外部側から水密に連結するようになっている。更に、上部給水栓継手１５５は、その下端側（上流側）の取付口が上部給水管１５２の上端に水密に接合されると共に、その上端側（下流側）の取付口が第１パネル１１０の支持部１１１の内部側から上部給水栓取付孔１１１ａに嵌合又は挿通して外部に露出されて前記上部給水栓ＵＴの基端の給水口を第１パネル１１０の支持部１１１の外部側から水密に連結するようになっている。
【００２８】
なお、立上り管１５０には、上記のように、水栓柱の上端付近の上部給水栓継手１５５に対して上部給水栓取付孔１１１ａを介して主給水栓ＵＴが取り付けられて（従来の給水栓と同様の）給水・散水機能を発揮するが、これ以外に、水栓柱の高さ方向中央付近の分岐継手１５３に対して下部給水栓取付孔１１１ｂを介して補助給水栓ＬＴが接続されて、水栓柱の高さ方向中央部付近で（主給水栓ＵＴによる給水・散水機能以外に）任意の補助的な（或いは、使用者の要望に応じた多種多様な用途の）給水機能を発揮することができる。即ち、屋外における給水栓の用途は様々な用途があり、単一の給水栓だけでは使用者の要望にこたえることができず、給水機能のみを考えた場合でも水栓柱としての機能が不足する場合があるが、本実施の形態の水栓柱は、１本の立上り管１５０に、上部の主給水栓ＵＴ及び下部の補助給水栓ＬＴを設置しているため、使用者の多種多様な用途に対応して、その利便性を大きく向上することができる。
【００２９】
＜立上り管と電熱線＞
前記立上り管１５０は、特に寒冷地仕様の場合の好適な構成として、その管長のほぼ全体に沿って加熱手段乃至加温手段としての電熱線１６０を密接配置すると共に、少なくとも下部給水管１５１及び上部給水管１５２を断熱材１７０により完全に包囲して覆っている。詳細には、電熱線１６０は、下部給水管１５１の露出部分の長さ（即ち、分岐継手１５４と下部配管継手１５３との間で露出する部分の長さ）とほぼ同一の長さを有する下部加熱部１６１と、分岐継手１５４の長さとほぼ同一の長さを有する中央加熱部１６２と、上部給水管１５２の露出部分の長さ（即ち、分岐継手１５４と上部給水管継手１５５との間で露出する部分の長さ）とほぼ同一の長さを有する上部加熱部１６３とからなる。かかる電熱線１６０は、立上り管１５０の後側中央（第１パネル１１０の支持部１１１から離間する後側部分の中央）に沿って上下方向に配設される。ここで、中央加熱部１６２は、下部給水管１５１と上部給水管１５２との間での分岐継手１５４の膨出分乃至突出分に対応して、下部加熱部１６１及び上部加熱部１６２間で後方（第１パネル１１０の支持部１１１から離間する方向）に退避する略チャンネル状（凹状）をなしている。これにより、電熱線１６０は、立上り管１５０に対して、下部加熱部１６１が下部給水管１５１を、上部加熱部１６２が上部給水管１５２を、中央加熱部１６３が分岐継手１５４部分を、それぞれ密接状態乃至略密接状態で加熱することになり、立上り管１５０内の原水を効果的に加温して（少なくとも凍結温度以上の）所定温度となるよう確実に温度維持することができる。更に、図示はしないが、特に寒冷地で本実施の形態の水栓柱を使用する場合(即ち、仕様の水栓柱の場合)、電熱線１６０は、サーモスタット等の温度検知センサーを備えるオンオフ制御部を介して電源（通常は１００Ｖ電源）に接続することが好ましい。この場合、温度検知センサーは、水栓柱の周囲の気温が所定気温以下となったか否かをモニターし、水栓柱の周囲の気温が所定気温以下となったときに、オンオフ制御部が電熱線１６０をオンして電熱線１６０に１００Ｖ電源からの給電を行い、電熱線１６０による立上り管１５０の加熱を行わせるよう制御する。
【００３０】
なお、本実施の形態の水栓柱は、立上り管１５０内の原水の凍結防止用に電熱線１６０を設けているが、電熱線１６０を設けない場合でも、断熱材１７０により立上り管１５０の断熱を行った外気温（冷気）による立上り管１５０内部の原水の凍結をある程度防止することができ、特に、寒冷地以外では、断熱材１７０のみによって十分な凍結防止効果を発揮することができる。
【００３１】
＜立上り管と断熱材＞
前記断熱材１７０は、下部給水管１５１の露出部分の長さとほぼ同一の長さを有する下部断熱部１７１と、上部給水管１５２の露出部分の長さとほぼ同一の長さを有する上部断熱部１７２とからなる。そして、断熱材１７０は、電熱線１６０を立上り管１５０の後側に沿って配置した状態で、下部断熱部１７１を下部給水管１５１に外嵌すると共に、上部断熱部１７２を上部給水管１５２に外嵌し、これにより、少なくとも下部給水管１５１及び上部給水管１５２を断熱材１７０により完全に包囲して立上り管１５０に対する断熱作用を発揮する。なお、断熱材１７０は、図１８に示す（下部給水管１５１及び上部給水管１５２の外周面に密接する内径を有すると共に、所期の断熱効果を発揮するために必要な厚みを有する）円筒状となるように、予め下部断熱部１７１及び上部断熱材１７２を所定の断熱材料（例えば、発泡ウレタン等の断熱性合成樹脂）により成形することもできるが、後述するように、芯材１４０に対して合計３枚の第１〜第３パネル１１０，１２０，１３０を組み付けてフレーム構造を完成した後、第１パネル１１０と芯材１４０との間に立上り管１５０及び電節線１６０を配設し、その後、立上り管１５０と芯材１４０との間の空間（円筒状の空間乃至空隙）に発泡ポリウレタン等の発泡断熱材を注入充填して固化してもよい。この場合も、充填による断熱材は、電熱線１６０を立上り管１５０の後側に沿って配置した状態で、下部給水管１５１から上部給水管１５２に至るまでの全長範囲を完全に覆うよう（詳細に、下部配管継手１５３及び上部給水栓継手１５５をも完全に覆うよう用）立上り管１５０を完全に包囲して、立上り管１５０に対する断熱作用をより効果的に発揮する。また、この場合、予め成形した下部断熱部１７１及び上部断熱部１７２を下部給水管１５１及び上部給水管１５２に外嵌する場合と比較して、立上り管１５０の外周面との密接度合いを高くすることができ（立上り管１５０との間の隙間を実質的になくすことができ）、断熱作用をより効果的に発揮すると共に、電熱線１６０との間の隙間をも実質的になくすことができ、電熱線１６０による加温効果をより促進することができる。
【００３２】
＜電熱線と断熱材＞
上記のように、本実施の形態の水栓柱では、電熱線１６０は、寒冷地仕様品として給水管としての立上り管１５０の外周に（立上り管１５０に沿って）配設される。このとき、電熱線１６０は、図５（ａ）、図５（ｂ）、図６（ａ）、図６（ｂ）及び図７（ａ）に示すように、立上り管１５０の後側中央に沿って上下方向に配設したり、或いは、立上り管１５０に（下方から上方へと）らせん状に巻き回して配設することもできる。また、電熱線１６０は、サーモスタット等の温度検知センサーを備えるオンオフ制御部により（地表近くの温度を検知して）外気温に応じてオンオフ制御され、（配管の凍結が懸念されるような寒冷時の）必要時にのみ、立上り管１５０等の給水管の凍結を防止する。なお、従来の寒冷地仕様の水栓柱は、給水管に水抜き機能を付加して対応する（凍結防止を図る）ものがほとんどであるが、使用者が毎日水抜きを忘れないように水抜き機能を活用するのは手間である。一方、本実施の形態の水栓柱によれば、上記サーモスタット等の温度検知センサーを備えるオンオフ制御部付きの電熱線１６０を設けるため、自動で給水管の凍結防止機能を実行することができ、使用者の手間を省くことができる。また、オンオフ制御部付きの電熱線１６０は、季節の変わり目の急な温度変化に対応することができる。更に、本実施の形態では、給水管に対する断熱効果を高めるため、（電熱線１６０を配設又は巻き回した）立上り管１５０の周囲に発泡ウレタン等の断熱材１７０を充填し（即ち、図示の例では立上り管１５０の主要部である下部給水管１５１及び上部給水管１５２の外周の全体を完全に包囲して充填し）、特に寒冷地以外の地域（即ち、上記寒冷地仕様の電熱線１６０を設けない場合）における給水管についても、必要十分な凍結防止機能を発揮することができる。
【００３３】
＜水抜き孔＞
図１、図２、図１１、図１２、図１６、図１７に示すように、第１パネル１１０の支持部１１１には、更に、前記下部給水栓取付孔１１１ｂと下部配管取付孔１１１ｃとの間のほぼ中間の高さ位置となる所定高さ位置に、水抜き孔１１１ｄが穿設されている。水抜き孔１１１ｄは、前記第１パネル１１０の上部給水栓取付孔１１１ａ等より小径の円形等をなす貫通孔であり、本体部１００の内部において特に第１パネル１１０の内側の水を本体部１００の外部に迅速に排出するためのものである。水抜き孔１１１ｄは、所定の設置箇所に設置された水栓柱の本体部１００の下端側部分において当該設置箇所への埋設部分上端位置（即ち、水栓柱の接地箇所の地面の位置、例えば、図２２~図２４の接地面ＧＬの位置）の近傍位置、または、当該埋設部分上端位置より所定距離だけ上方の位置に設けられている。水抜き孔１１１ｄは、本体部１００の内部において例えば立上り管１５０等からの漏水や外部から本体内部に進入した雨水等により、本体部１００の内部において水抜き孔１１１ｄよりも上方の位置まで水が滞留したときに、その水を本体部１００の外部に排出するようになっている。また、図示はしないが、第１パネル１１０の内部において支持部１１１の水抜き孔１１１ｄの裏面側には、一方向にのみ水の流通を許容する一方で、反対方向への水等の流通は阻止する弁装置として、結露排水弁等の一方向弁装置を装着することが好ましい。なお、位置方向弁装置として本実施の形態で好適に使用することができる結露排水弁は、典型的には、建築物の開口部（窓や引き戸等の）のサッシに装着されて、サッシの結露を室外に排出する一方で、室外からの異物や雨水等の室内への進入を阻止する構造を備えている。本実施の形態では、第１パネル１１０の内部の水を水抜き孔１１１ｄを介して外部に排出する方向にのみ水の流通を許容する状態で、支持部１１１の裏面に装着されている。これにより、第１パネル１１０の外部から水抜き孔１１１ｄを介して虫等の異物や雨水等の水が内部に進入することを結露排水弁により確実に防止することができる。
【００３４】
＜第２パネルと１００Ｖコンセント＞
図１３（ａ）、図１８（ｂ）及び図１９（ｂ）に示すように、第２パネル１２０は、支持部１２１の上端付近の所定高さ位置（前記１００Ｖコンセントの取付高さ位置）にコンセント取付孔１２１ａを穿設し、支持部１２１の外部側から、コンセント取付孔１２１ａを介して前記１００ＶコンセントＣ１を取り付けるようになっている。また、第２パネル１２０の支持部１２１においてコンセント取付口１２１ａの上方及び下方に若干の距離をおいた位置には、それぞれ、１００ＶコンセントＣ１の締結手段としての木ねじやタッピンねじ等のねじＳを螺入するためのねじ孔１２１ｂが形成されている。より詳細には、図２の一点鎖線の円形内（右側）に拡大して示すように、１００ＶコンセントＣ１は、防水ブッシング１２５を介して、第２パネル１２０の支持部１２１のコンセント取付孔１２１ａに取り付けられる。即ち、防水ブッシング１２５は、１００ＶコンセントＣ１の取付面の外形乃至輪郭に対応する外形乃至輪郭の平板形状（図の例では長方形状乃至矩形状）をなすホルダ部１２６と、ホルダ部１２６の内面中央部から直交して突出する所定長の通線部１２７とからなる。通線部１２７は、基端側の所定長部分を構成する係止円筒部１２７ａと、先端側の所定長部分を構成する単純円筒部１２７ｂとからなる。通線部１２７の係止円筒部１２７ａは、支持部１２１のコンセント取付孔１２１ａの直径より若干大径となるひだ状乃至フランジ状の係止片を軸方向に離間して多数突設したものである一方、単純円筒部１２７は、支持部１２１のコンセント取付孔１２１ａの直径と略同一又は若干小径の単純円筒状をなす。なお、この防水ブッシング１２５は、ホルダ部１２６を１００ＶコンセントＣ１とほぼ同一の外形寸法を有する矩形状としているが、防水ブッシングとしては、図２０中及び図２４中の右側に別例として（分解図にて）示すように、ホルダ部１２６Ａを１００ＶコンセントＣ１より小さい外形寸法の矩形状とした防水ブッシング１２５Ａを使用してもよい。
【００３５】
そして、１００ＶコンセントＣ１を第２パネル１２０の支持部１２１に取り付けるには、前記防水ブッシング１２５の通線部１２７を支持部１２１のコンセント取付孔１２１ａに外部側から内部側へと挿通して所定長突出させると共に、ホルダ部１２６の内側面を支持部１２１のコンセント取付孔１２１ａの周囲に密接させ、前記係止円筒部１２７ａを支持部１２１のコンセント取付孔１２１ａの内周縁に弾接させて係止することで、防水ブッシング１２５を支持部１２１に仮止めする。その後、防水ブッシング１２５のホルダ部１２６を介装した状態で、支持部１２１のコンセント取付孔１２１ａ部分に１００ＶコンセントＣ１を配置し、当該１００ＶコンセントＣ１固定用のねじＳをねじ孔１２１ｂに螺入することで、支持部１２１の外側面の所定位置に１００ＶコンセントＣ１を固定することができる。このとき、図１０（ａ）及び図１０（ｂ）に示すように、防水ブッシング１２５を介して、１００ＶコンセントＣ１への給電用の１００Ｖ電源の電線Ｗ１を、通線部１２７の先端の開口から内部に挿通した後、通線部１２７の基端においてホルダ部１２６を貫通する開口を通過させて、１００ＶコンセントＣ１の内部の電線接続部に電気的に接続し、電線を介して１００ＶコンセントＣ１へ１００Ｖ電源からの給電を行うようになっている。これにより、防水型の１００ＶコンセントＣ１と第２パネル１２０との間においても防水ブッシング１２５による防水機能を発揮することができる。一方、支持部１２１の下端部付近の所定高さ位置には、電線挿通口１２１ｃが穿設され、図１０（ｃ）に示すように、外部の１００Ｖ電源からの電線Ｗ１を、第２パネル１２０の外部から電線挿通口１２１ｃを介して内部に挿通し、第２パネル１２０に沿って上方に延設して、上記のように、防水ブッシング１２５を介して１００ＶコンセントＣ１内に引き込むようになっている。
【００３６】
＜第３パネルと２００Ｖコンセント＞
図１３（ｂ）、図１８（ａ）及び図１９（ａ）に示すように、第３パネル１３０は、第２パネル１２０のコンセント取付孔１２１ａと同様のコンセント取付孔１３１ａ、ねじ孔１２１ｂと同様のねじ孔１３１ａ、電線挿通口１２１ｃと同様の電線挿通口１３１ｃを、同様の高さ位置に穿設している。そして、第２パネル１２０の場合と同様、２００ＶコンセントＣ２用の防水ブッシング１３５を支持部１３１のコンセント取付孔１３１ａに仮止めした後、２００ＶコンセントＣ２を防水ブッシング１３５を介して第３パネルの所定高さ位置に固定するようになっている。ここで、防水ブッシング１３５は、前記防水ブッシング１２５とほぼ同様の構成である。即ち、防水ブッシング１３５は、２００ＶコンセントＣ２の取付面の外形乃至輪郭に対応する外形乃至輪郭の平板形状（図の例では長方形状乃至矩形状）をなすホルダ部１３６と、ホルダ部１３６の内面中央部から直交して突出する所定長の通線部１３７とからなる。通線部１３７は、基端側の所定長部分を構成する係止円筒部１３７ａと、先端側の所定長部分を構成する単純円筒部１３７ｂとからなる。通線部１３７の係止円筒部１３７ａは、支持部１３１のコンセント取付孔１３１ａの直径より若干大径となるひだ状乃至フランジ状の係止片を軸方向に離間して多数突設したものである一方、単純円筒部１３７は、支持部１３１のコンセント取付孔１３１ａの直径と略同一又は若干小径の単純円筒状をなす。なお、この防水ブッシング１３５は、ホルダ部１３６を２００ＶコンセントＣ２とほぼ同一の外形寸法を有する矩形状としているが、防水ブッシングとしては、図２０中及び図２４中の左側に別例として（分解図にて）示すように、ホルダ部１３６Ａを２００ＶコンセントＣ２より小さい外形寸法の矩形状とした防水ブッシング１３５Ａを使用してもよい。
【００３７】
そして、２００ＶコンセントＣ２を第３パネル１３０の支持部１３１に取り付けるには、前記防水ブッシング１３５の通線部１３７を支持部１３１のコンセント取付孔１３１ａに外部側から内部側へと挿通して所定長突出させると共に、ホルダ部１３６の内側面を支持部１３１のコンセント取付孔１３１ａの周囲に密接させ、前記係止円筒部１３７ａを支持部１３１のコンセント取付孔１３１ａの内周縁に弾接させて係止することで、防水ブッシング１３５を支持部１３１に仮止めする。その後、防水ブッシング１３５のホルダ部１３６を介装した状態で、支持部１３１のコンセント取付孔１３１ａ部分に２００ＶコンセントＣ２を配置し、当該２００ＶコンセントＣ２固定用のねじＳをねじ孔１３１ｂに螺入することで、支持部１３１の外側面の所定位置に２００ＶコンセントＣ２を固定することができる。このとき、図１０（ａ）及び図１０（ｂ）に示すように、防水ブッシング１３５を介して、２００ＶコンセントＣ２への給電用の２００Ｖ電源の電線Ｗ２を、通線部１３７の先端の開口から内部に挿通した後、通線部１３７の基端においてホルダ部１３６を貫通する開口を通過させて、２００ＶコンセントＣ２の内部の電線接続部に電気的に接続し、電線を介して２００ＶコンセントＣ２へ２００Ｖ電源からの給電を行うようになっている。これにより、防水型の２００ＶコンセントＣ２と第３パネル１３０との間においても防水ブッシング１３５による防水機能を発揮することができる。一方、支持部１３１の下端部付近の所定高さ位置には、電線挿通口１３１ｃが穿設され、図１０（ｃ）に示すように、外部の２００Ｖ電源からの電線Ｗ２を、第３パネル１３０の外部から電線挿通口１３１ｃを介して内部に挿通し、第３パネル１３０に沿って上方に延設して、上記のように、防水ブッシング１３５を介して２００ＶコンセントＣ２内に引き込むようになっている。
【００３８】
［１００Ｖコンセント］
ここで、屋外環境は、天候により雨水や（給水栓による）散水等による水の飛散が屋内よりも多く発生する（即ち、電源設備が水に曝される機会が多い）ことが想像される環境であることから、一般的に、屋外における１００Ｖコンセントの設置数は少数である場合が多く、屋内よりも圧倒的にその設置数が少なくなる反面、屋外で電力を使用する機会は多く、例えば、１００Ｖ商用電源を、高圧洗浄機や車内清掃用の掃除機等への電力供給のために一時的に使用したり、屋外灯等への電力供給のために永続的に使用したりする等、１００Ｖコンセントの用途は幅広い。また、通常、屋外のコンセントは、家屋の外壁面に設置する場合が主流である。一方、本実施の形態の水栓柱は、設置箇所が駐車場近傍となることも多いと推測される。そこで、本実施の形態の水栓柱は、高圧洗浄機や車内清掃用の掃除機の使用等を可能にして、より使用目的乃至必要性に応じた機能として、屋外コンセントとしての１００ＶコンセントＣ１を水栓柱に設置している。
【００３９】
［２００Ｖコンセント］
また、２００ＶコンセントＣ２は、近年の環境保護に対する要請の高まりに伴い現在ますます普及しているハイブリッドカー（動力源としてガソリンエンジンと電気モーターとを併用して走行するタイプの自動車）のうち、その（電気モーターへの給電装置としての）バッテリーに２００Ｖ電源からの（使用者等が所定の２００Ｖ電源給電用のプラグ及びコンセント等の給電装置を使用した）直接充電が可能なプラグインハイブリッドカー（ＰＨＶ）や、ＰＨＶと同様にして２００Ｖ電源からの直接充電が可能で今後の大きな普及が期待される電気自動車（ＥＶ）に対して、家庭での（バッテリー装置への）充電を可能にするものである。即ち、現状では、ＰＨＶやＥＶへの嗜好がますます高まる傾向にある一方で、ＰＨＶやＥＶへの充電方法は、専用の２００Ｖの商用電源（１００Ｖの商用電源の場合もある）と専用プラグや専用コンセント等の専用給電設備が必要であり、一般的ではない。その一方、ＰＨＶやＥＶのより一層の普及を目指して、専用の充電設備（専用電源、専用プラグ、専用コンセント等を備える充電スタンド等）が屋外に設置されている。そこで、本実施の形態の水栓柱は、ＰＨＶやＥＶ等の自動車への充電設備乃至充電装置を、当該自動車の駐停車スペースの近傍に配設することが容易な水栓柱に付加すべく、２００ＶコンセントＣ２を設けている。逆にいえば、本実施の形態の水栓柱の設置場所は、２００ＶコンセントＣ２によるＰＨＶやＥＶへの充電を可能とするよう、駐車場やその他の自動車へのアクセスが可能な場所（駐停車スペースから電源コードの延設が可能な場所）とすることが望ましい。
【００４０】
［照明部］
図８、図９に示すように、照明部２００は、カバー部２１０と、カバー部２１０を載置して固定するベース部２２０と、カバー部２１０の上端開口に着脱されて開閉するキャップ部２３０とからなる照明部２００用の筺体と、キャップ部２３０に装着されるＬＥＤモジュール２４０とから構成される。カバー部２１０は、平面視で、本体部１００用の筺体の外形と同一の外形である異形六角形状（正三角形の頂点を面取りした形状）の外形乃至輪郭を有する。また、図１４に示すように、カバー部２１０は、所定厚みを有し、前記異形六角形状に対応する異形六角形の略筒状をなす。なお、カバー部２１０は、アクリルプレートやポリカーボネートプレート等の板状の透明または半透明（有色透明を含む）の合成樹脂材料（好ましくは乳白色や乳半色等の半透明材料、及び／又は、表面の凹凸加工等により光拡散機能を付与したもの）により、前記異形六角形状の略筒状に一体形成されている。より詳細には、図８及び図２１に示すように、カバー部２１０は、カバー部２１０の主要部を構成する異形六角形筒状の透光部２１１と、透光部２１１の下端に設けられた係止部２１２とを備える。カバー部２１０の透光部２１１は、本体部１００の主外側面１１０Ａ，１１０Ｂ，１１０Ｃに対応して、その異形六角形状を構成する（元の正三角形の）幅広の３辺をそれぞれ主外側面２１０Ａ，２１０Ｂ，２１０Ｃとすると共に、本体部１００の副外側面１１０Ｄ，１１０Ｅ，１１０Ｆに対応して、その異形六角形状を構成する（元の正三角形の頂点を面取りした）幅狭の３辺をそれぞれ副外側面２１０Ｄ，２１０Ｅ，２１０Ｆとしている。一方、前記係止部２１２は、カバー部２１０をベース部２２０に係止して着脱自在に固着するものであり、例えば、図８及び図２１に示すように、透光部２１１の主外側面２１０Ａの下端部の幅方向中央部から若干下方に延設するよう一体形成される外向きの爪状をなし、その下端部外側面が外方に若干膨出乃至突出する突部乃至突条となるよう構成することができる。この例の場合、係止部２１２の突部乃至突条は、透光部２１１の下端縁から下方に延設した部分の外側面から（図８に示す程度の若干距離だけ）外方に突出するよう一体形成される。なお、カバー部２１０をベース部２２０に着脱自在に固着する構成としては、カバー部２１０をベース部２２０に着脱自在に固着できる限りにおいて、前記係止部２１２の構成に限定されることなく、その他の任意の構成を採用することができる。
【００４１】
＜ベース部＞
ベース部２２０は、本体部１００の筺体の上端に外嵌状態で載置して装着される異形六角形状の略平板状をなしている。詳細には、ベース部２２０は、図１４（ｂ）に示すように、本体部１００用の筺体の外形（即ち、カバー部２１０の外形）を若干大きくした相似形状の外形（即ち、若干大きな異形六角形状）乃至輪郭を有する略平板状であり、基部２２１、カバー部側嵌合部２２２、当接支持部２２３及び本体部側嵌合部２２４からなる。基部２２１は、カバー部２１０の外形より若干小さな相似形状の異形六角形状の平板状をなしている。図１４及び図２１に示すように、カバー部側嵌合部２２２は、かかる基部２２１の外周縁の全周乃至全長に沿って一体形成されると共に、図８に示すように、基部２２１の上面から直交して上方に延びる突起状乃至突条となっており、カバー部２１０の透光部２１１の下端部を外嵌して嵌合により係止自在となるよう、透光部２１１の下端の内側面形状に対応する（略同一寸法の）外側面形状を有している。また、当接支持部２２３は、カバー部側嵌合部２２２を間に挟んで、基部２２１と同一平面上に、当該基部２２１から外方にフランジ状に延出するよう一体形成される平面異形六角形状（基部２２１の異形六角形状に対応する異形六角形状）をなす環状の板状部分であり、カバー部２１０の透光部２１１の下端部をベース部２２０のカバー部側嵌合部２２２に外嵌して（内方への移動不能な状態で）係止したときに、当接支持部２２３が透光部２１１の下端を当接支持するようになっている。
【００４２】
なお、前記カバー部２１０をベース部２２０に着脱自在に固着する構成として前記係止部２１２を採用した場合、図８中の一点鎖線の円形中の拡大図（及び図２１中の仮想線）に示すように、カバー部２１０の主外側面２１０Ａに対応するベース部２２０の外側面（図２１中の左下側の外側面）側において、当接支持部２２３の内周縁部の幅方向中央部に、前記カバー部２１０の係止部２１２を挿通して係合自在な形状の挿通孔２２３ａを貫通形成する。このベース部２２０の挿通孔２２３ａは、カバー部２１０の係止部２１２を挿通自在なように係止部２１２部分の厚みより若干大きな幅を有しており、また、挿通孔２２３ａと当接支持部２２３（挿通孔２２３ａが形成されない外周側の残りの部分）との間の部分が、挿通孔２２３ａに挿通したカバー部２１０の係止部２１２の突部乃至突条を係止する突部として機能するようになっている。そして、上記構成のベース部２２０にカバー部２１０を装着するには、カバー部２１０の透光部２１１の下端部をベース部２２０のカバー部側嵌合部２２２に外嵌して係止すると共に、カバー部２１０の主外側面２１０Ａ側の係止部２１２をベース部２２０の挿通孔２２３ａに挿通し（このとき、係止部２１２を若干内方に押圧して弾性変形し、挿通孔２２３ａへの挿通を容易にすることが望ましい）、カバー部２１０の係止部２１２の突部乃至突条をベース部２２０の挿通孔２２３ａの外周側の当接支持部２２３の下面により係止する。なお、カバー部２１０をベース部２２０から取り外すには、カバー部２１０の係止部２１２をベース部２２０の挿通孔２２３ａから上方に抜き取り（このとき、係止部２１２を若干内方に押圧して弾性変形し、挿通孔２２３ａから抜き取りを容易にすることが望ましい）、カバー部２１０の全体をベース部２２０のカバー部側嵌合部２２２から取り外す。
【００４３】
更に、ベース部２２０の本体部側嵌合部２２４は、当接支持部２２３の外周縁から下方に直交して延びるよう一体形成され、本体部１００の筺体の上端に外嵌して嵌合により係止されることで、（カバー部２１０を装着した）ベース部２２０を介して、照明部２００の全体を本体部１００に着脱自在に固着するようになっている。詳細には、特に、図８中の一点鎖線の円形中の拡大図に示すように、本体部側嵌合部２２４は、当接係止部２２３の外周縁の全周乃至全長に沿って一体形成されると共に、当接係止部２２３の下面から直交して下方に延びる突起状乃至突条となっており、本体部１００の筺体の上端部を外嵌して嵌合により係止自在となるよう、本体部１００の筺体の上端の外側面形状に対応する（略同一寸法の）内側面形状を有している。一方、図１４（ｂ）に示すように、ベース部２２０の基部２２１の中央には、（基部２２１の主要面積を占める）大径の円形の流通開口２２１ａが穿設されている。ベース部２２０の流通開口２２１ａは、ベース部２２０を介して照明部２００を本体部１００に取り付けたときに、照明部２００の内部空間と本体部１００の内部空間とを連通して相互に流通自在とするものである。また、基部２２１の異形六角形状の３つの幅狭の辺の中央近傍には、それぞれ、木ネジやビス挿通用のビス孔２２１ｂが穿設され、木ネジやビス等のねじ（図示略）を挿通するようになっている。このねじ挿通用のビス孔２２１ｂは、基部２２１において、照明部２００を本体部１００に嵌合した状態で本体部１００の芯材１４０のビス孔部１４２ｂ，１４３ｂ，１４４ｂにそれぞれ整合及び一致する位置に配置されており、照明部２００を本体部１００に嵌合した状態で、基部２２１のビス孔２２１ｂを介して本体部１００のビス孔部１４２ｂ，１４３ｂ，１４４ｂにそれぞれねじを螺入して締め付けることにより、照明部２００を本体部１００に強固に（ねじを取り外さない限り取り外し不能となるよう）装着することができる。
【００４４】
＜キャップ部＞
図１４（ａ）及び図２１に示すように、キャップ部２３０は、カバー部２１０の透光部２１１の上端に載置して装着される異形六角形状の平板状をなしている。詳細には、キャップ部２３０は、カバー部２１０の透光部２１１の上端と同一寸法で同一外形の異形六角形状の平板状をなす遮蔽支持部２３１と遮蔽支持部２３１の下面において遮蔽支持部２３１の外周縁の若干内側において下方に突出する係止突条２３２とからなる。図９中の一点鎖線の円形中の拡大図に示すように、キャップ部２３０の遮蔽支持部２３１を、カバー部２１０の透光部２１１の上端開口を完全に覆うように、当該透光部２１１に完全に製造させたその上端に載置すると、係止突条２３２が透光部２１１の上端部の内側面を係止し、キャップ部２３０をカバー部２１０に着脱自在に装着することができる。また、ＬＥＤモジュール２４０は、ＬＥＤ基板２４１と、ＬＥＤ基板２４１の一側面（装着時の下面）に固着された所定色で所定発光能力のＬＥＤ素子（チップＬＥＤ）２４２とから構成される。ＬＥＤモジュール２４０は、合計２枚が、前記キャップ部２３０の一側面（カバー部２１０への装着時の下面）の所定位置に、所定の間隔を置いた状態で、離脱不能となるよう予め（ねじ止め等により）固定されている。そして、キャップ部２３０をカバー部２１０に装着したときに、ＬＥＤモジュール２４０のＬＥＤチップ２４２が、照明部２００の（カバー部２１０、ベース部２２０及びキャップ部２３０により形成される）内部空間に所定色の発光を行い、カバー部２１０がＬＥＤチップ２４２の発光を外部に透過することで、照明部２００の全体が所定の照明機能を発揮するようになっている。
【００４５】
＜ＥＥスイッチ＞
図示はしないが、照明部２００には、ＥＥ（Ｅｌｅｃｔｒｏｎｉｃ  Ｅｙｅ）スイッチ（自動点灯・消灯切換スイッチ）が設けられている。ＥＥスイッチは、ＬＥＤモジュール２４０に電気的に接続され、照明部２００の外部空間の照度に応じて、ＬＥＤモジュール２４０の発光駆動をオン又はオフするようになっている。ここで、本実施の形態の水栓柱は、夜間における使用も十分想定されるため、その際の使用（主給水栓ＵＴや副給水栓ＬＴ、１００ＶコンセントＣ１や２００ＶコンセントＣ２の使用）を容易にするため、照明部２００が有効に機能する。即ち、照明部２００は、（照度が所定値以下となった）夜間にＥＥスイッチの制御によりＬＥＤモジュール２４０のＬＥＤチップ２４２を自動的に点灯させ、カバー部２１０の透光部２１１からの光により本体部１００の周囲の所定空間を効果的に照明する。特に、このとき、ＬＥＤモジュール２４０がキャップ部２３０の下面に固定されているため、ＬＥＤチップ２４２の光が下方に（当該ＬＥＤチップ２４２固有の指向特性に応じた角度範囲で）進行して透光部２１１の内面に照射され、透光部２１１により（透光部２１１の固有の光拡散特性に応じた拡散角度で）拡散されて、照明部２００の外部における下方向にのみ放射されるため、照明を行いたい所望部位としての（照明部２００の下方に位置する）本体部１００の周辺部のみに、ＬＥＤモジュール２４０からの光を集中して照射することができ、照明効率を向上することができる。したがって、本実施の形態では、照明部２００により、水栓柱の主給水栓ＵＴ等を夜間においても安全に使用できるような十分な明るさで照明することができる。また、ＥＥスイッチにより夜間にのみ照明部２００を選択的に点灯することができ、（昼間等の照明が不要な時間帯に）無駄な照明を行うことがなく、必要時にのみ照明を行うことができ、近年の省エネの要請や節電に対する需要についても効果的に対応することができる。
【００４６】
［本体部の内部構造］
ここで、上記のように、本体部１００の筺体の内部空間は、第１〜第３パネル１１０，１２０，１３０により上記異形六角形状の断面形状となるよう形成される一方で、芯材１４０により３つの収納空間に区画されている。即ち、本実施の形態の水栓柱は、通常の水栓柱の機能以外に多くの機能を有しており、かかる多機能化に伴い、水栓柱の特に本体部１００の内部は、非常に多くの部品等が混在することになる。このため、本実施の形態の水栓柱は、本体部１００の内部空間を、大きく電気系統用の２つの収納空間と水道系統用の１つの収納空間とからなる３つの収納空間に区画し、更に、各部品や配線等も整理して収納できるよう本体部１００の筺体の構造を設計している。これにより、本実施の形態の水栓柱は、安全性、利便性、耐久性等を大きく高めている。より詳細には、上記のとおり、本体部１００の筺体の外側面を構成する第１〜第３パネル１１０，１２０，１３０には、それぞれ、異なる機能部材（、、２００Ｖコンセント）が配設されており、正面となる第１パネル１１０には主給水栓ＵＴ及び副給水栓ＬＴが取り付けられて、その内側の空間は水道系統用の区画乃至収納空間となる。また、右背面となる第２パネル１２０には１００ＶコンセントＣ１が取り付けられて、その内側の空間は第１の電気系統用（１００Ｖ電源給電用）の区画乃至収納空間となる。更に、左背面となる第３パネル１３０には２００ＶコンセントＣ２が取り付けられて、その内側の空間は第２の電気系統用（２００Ｖ電源給電用）の区画乃至収納空間となる。
【００４７】
＜第１の収納空間＞
前記第１の収納空間は、給水管としての立上り管１５０等の給水系統部品を配設する区画であるが、上記のとおり、立上り管１５０の軸心（中心）は、本体部１００の筺体の中心点Ｏ（異形六角形状の元となる正三角形の中心）とは一致せず、第２の収納空間と第３の収納空間との境界となる芯材１４０の第３の係合機能付き区画壁１４４の延長線（仮想線）上に位置する。詳細には、立上り管１５０は、その中心が、芯材１４０の（半円筒状の）保持機能付き区画壁１４１の中心と一致するよう第１の収納空間に配設される。このとき、例えば、保持機能付き係合部１４１の内径は、立上り管１５０の下部給水管１５１及び上部給水管１５２の直径（塩ビ管の場合、典型的には、最大直径が約２４ｍｍ）に対して８／３〜２倍の範囲内の所定比率となる寸法（好ましくは、約７／３倍の所定比率となる寸法（給水管１５１，１５２の外径が約２４ｍｍの場合、５６ｍｍ））とし、給水管１５１，１５２の外周面と保持機能付き係合部１４１の内周面との間に、保持機能付き係合部１４１の内径と同一の外径で、かつ、給水管１５１，１５２の外径と同一の内径の円筒状の空間（例えば、保持機能付き係合部１４１の内径が５６ｍｍで給水管１５１，１５２の外径が２４ｍｍの場合、厚みが１６ｍｍとなる円筒状の空隙）が形成されるようにする。そして、この円筒状の空隙部分を利用して、立上り管１５０に沿って電熱線１６０を配設したり、立上り管１５０の外周の全体に（電熱線１６０を外部から被覆するように）断熱材を注入したり成形済みの断熱材１７０を外装して充填する。これにより、上記のように、給水管１５１，１５２の断熱性向上及び凍結防止と、電熱線１６０からの漏電防止とを図っている。なお、このとき、電熱線１６０の制御用のオンオフ制御部の温度検知センサ（典型的にはサーモスタット）が、（塩ビ管とうからなる）給水管１５１，１５２ではなく、接地面に配設され、当該部分の気温を感知して作動するため、外気温に応じた給水管１５１，１５２の凍結防止機能を確実に発揮することができる。また、このとき、第１のパネル１１０において、主給水栓ＵＴは、使用者の立ちながらの使用に適した高さ位置（例えば、地面から約９４０ｍｍの高さ位置）に配設される一方、補助給水栓ＬＴは、立ちながらの使用に邪魔にならない高さ位置であって腰をかがめたり座ったりしたときの使用に適した高さ位置（例えば、地面から約２８０ｍｍの高さ位置）に配設されるため、いずれか一方の給水栓を使用する際に他方の給水栓が邪魔になることはない。
【００４８】
＜給水管の支持構造＞
図５〜図７に示すように、給水管としての前記立上り管１５０は、本体部１００の第１の収納空間において、給水管ホルダ１８１〜１８５により所定の立設状態に保持されている。詳細には、図５（ａ）に示すように、本体部１００の上部給水栓ＵＴの高さ位置では、断熱材１７０の上部断熱部１７２から露出する上部給水管１５２の上端部分が、第１のホルダ部１８１により第１パネル１１０の支持部１１１に対して所定の位置に安定的に保持されている。第１のホルダ部１８１は、支持部１１１の上部給水栓取付孔１１１ａに内嵌して着脱自在に固着される嵌合部１８１ａと、嵌合部１８１ａに一体形成されて上部給水管１５２の外周面形状に対応する半円筒状を有する保持部１８１ｂとからなり、第１の収納空間内に立上り管１５０を立設した状態で、保持部１８１ｂの内周面により上部給水管１５２を保持すると共に、嵌合部１８１ａを支持部１１１の上部給水栓取付孔１１１ａに圧入して内嵌することで、上部給水管１５２を保持するようになっている。
【００４９】
また、図５（ｂ）に示すように、本体部１００の１００ＶコンセントＣ１及び２００ＶコンセントＣ２の高さ位置では、上部給水管１５２を被覆する上部断熱部１７２が、第２のホルダ部１８２により第１パネル１１０の支持部１１１に対して所定の位置に安定的に保持されている。第２のホルダ部１８２は、その外部側の面（底面）が、支持部１１１の裏面の対応する高さ位置に粘着、接着又は単なる当接支持等により固着されると共に、その内部側の面（支持面）が、上部断熱材１７２の外周面形状に対応する半円筒状を有する保持凹部１８２ａとなり、第１の収納空間内に立上り管１５０を立設した状態で、保持凹部１８２ａの内周面により上部断熱部１７２を保持するようになっている。同様に、図６（ａ）に示すように、本体部１００の１００ＶコンセントＣ１及び２００ＶコンセントＣ２と下部給水栓ＬＴとの間の中間高さ位置では、上部断熱部１７２が、第２のホルダ部１８２により第１パネル１１０の支持部１１１に対して所定の位置に安定的に保持されている。
【００５０】
更に、図６（ｂ）に示すように、本体部１００の下部給水栓ＬＴの高さ位置では、断熱材１７０の上部断熱部１７２と下部断熱部１７２との間で露出する下部給水管１５１又は上部給水管１５２の部分が、第３のホルダ部１８３により第１パネル１１０の支持部１１１に対して所定の位置に安定的に保持されている。第３のホルダ部１８３は、支持部１１１の下部給水栓取付孔１１１ｂに内嵌して着脱自在に固着される嵌合部１８３ａと、嵌合部１８３ａに一体形成されて下部給水管１５１又は上部給水管１５２の外周面形状に対応する半円筒状を有する保持部１８３ｂとからなり、第１の収納空間内に立上り管１５０を立設した状態で、保持部１８３ｂの内周面により下部給水管１５１又は上部給水管１５２を保持すると共に、嵌合部１８３ａを支持部１１１の上部給水栓取付孔１１１ａに圧入して内嵌することで、下部給水管１５１又は上部給水管１５２を保持するようになっている。
【００５１】
また、図７（ａ）に示すように、本体部１００の下部給水栓ＬＴと下部配管取付孔１１１ｃとの間の中間高さ位置では、下部給水管１５１を被覆する下部断熱部１７１が、第４のホルダ部１８４により第１パネル１１０の支持部１１１に対して所定の位置に安定的に保持されている。第４のホルダ部１８４は、その外部側の面（底面）が、支持部１１１の裏面の対応する高さ位置に粘着、接着又は単なる当接支持等により固着されると共に、その内部側の面（支持面）が、下部断熱部１７１の外周面形状に対応する半円筒状を有する保持凹部１８４ａとなり、第１の収納空間内に立上り管１５０を立設した状態で、保持凹部１８４ａの内周面により下部断熱部１７１を保持するようになっている。更に、図７（ｂ）に示すように、本体部１００の下部配管取付孔１１１ｃの高さ位置では、下部配管継手１５３が、第５のホルダ部１８５により第１パネル１１０の支持部１１１に対して所定の位置に安定的に保持されている。第５のホルダ部１８５は、支持部１１１の下部配管取付孔１１１ｃに内嵌して着脱自在に固着される嵌合部１８５ａと、嵌合部１８５ａに一体形成されて下部配管継手１５３の外周面形状に対応する半円筒状を有する保持部１８５ｂとからなり、第１の収納空間内に立上り管１５０を立設した状態で、保持部１８５ｂの内周面により下部配管継手１５３を保持すると共に、嵌合部１８５ａを支持部１１１の下部配管取付孔１１１ｃに圧入して内嵌することで、下部配管継手１５３を保持するようになっている。
【００５２】
＜第２の収納空間＞
１００ＶコンセントＣ１は、屋外設置用の防水認定された電気部品であり、上記のとおり、本体部１００の第２パネル１２０の所定高さ位置に設置されるが、この設置高さ位置は、前記上部給水栓ＵＴの設置高さ位置と同様の高さ位置、即ち、使用者の立ちながらの使用に適した高さ位置（例えば、地面から約９４０ｍｍの高さ位置）とされる。また、１００ＶコンセントＣ１は、第２パネル１２０に設置される際は、第２パネル１２０に穿設した所定直径（例えば２２ｍｍ）のコンセント取付孔１２１ａに防水ブッシング１２５の通線部１２７を挿通して設置されるが、このとき、２本（上下一対）のねじ孔１２１ｂにそれぞれ木ネジ等のねじＳを螺入することで第２パネル１２０に固定されるため、（表面にストライプ状の凹凸模様が形成された）第２パネル１２０の支持部１２１の外側面に対しても、１００ＶコンセントＣ１を安定して設置固定することができる。一方、本体部１００の筺体内の第２の収納空間には、かかる１００ＶコンセントＣ１に給電するための配線として電線Ｗ１が、第２の収納空間内を軸方向に挿通して配設される。このとき、本体部１００の異形六角形状の筺体は、外部からの水滴が進入しないよう設計されており、特に、筺体を構成する第１〜第３パネル１１０，１２０，１３０の相互の接合線乃至境界線（詳細には、それらの嵌合部１１２，１２２，１３２と芯部１４０の境界画定部１４２ｃ，１４３ｃ，１４４ｃとの間の接合線乃至境界線）から内部に水が進入しないよう設計されている。更に、本実施の形態の水栓柱は、万一、本体部１００の第２の収納空間内に水が進入した場合に備えて、電気コード乃至電線Ｗ１としては、導体からなる芯線を絶縁体からなる被覆で完全に覆った絶縁電線が使用され、防水ブッシング１２５を通って１００ＶコンセントＣ１の内部に配線されるまでは、電線Ｗ１の芯線が外部の水環境に直接曝されないようにしている。
【００５３】
＜第３の収納空間＞
２００ＶコンセントＣ２は、屋外設置用の防水認定された電気部品であり、上記のとおり、本体部１００の第３パネル１３０の所定高さ位置に設置されるが、この設置高さ位置は、前記上部給水栓ＵＴや１００Ｖコンセントの設置高さ位置と同様に、使用者の立ちながらの使用に適した高さ位置（例えば、地面から約９４０ｍｍの高さ位置）とされる。また、２００ＶコンセントＣ２は、第３パネル１３０に設置される際は、第３パネル１３０に穿設した所定直径（例えば２５ｍｍ）のコンセント取付孔１３１ａに防水ブッシング１３５の通線部１３７を挿通して設置されるが、このとき、１００ＶコンセントＣ１と同様、２本（上下一対）のねじ孔１３１ｂにそれぞれ木ネジ等のねじＳを螺入することで第３パネル１３０に固定されるため、（表面にストライプ状の凹凸模様が形成された）第３パネル１３０の支持部１３１の外側面に対しても、２００ＶコンセントＣ２を安定して設置固定することができる。一方、本体部１００の筺体内の第３の収納空間には、かかる２００ＶコンセントＣ２に給電するための配線として電線Ｗ２が、第３の収納空間内を軸方向に挿通して配設される。このとき、本体部１００の異形六角形状の筺体は、上記のように、外部からの水滴が内部に進入しないよう設計されて。更に、本実施の形態の水栓柱は、万一、本体部１００の第３の収納空間内に水が進入した場合に備えて、電気コード乃至電線Ｗ２としては、前記電Ｗ１と同様の絶縁電線が使用され、防水ブッシング１３５を通って２００ＶコンセントＣ２の内部に配線されるまでは、電線Ｗ２の芯線が外部の水環境に直接さらされないようにしている。
【００５４】
［本体部の外部構造］
本実施の形態の水栓柱は、上記のように多数の機能部品を配設して多機能化されているため、従来の水栓柱のように（給水栓のみを考慮した）単体構造乃至単一構造として完結することはできない。したがって、本実施の形態の水栓柱は、本体部１００の外部構造として、上記のように、筺体を構成する芯材１４０に３か所のビス孔部１４２ｂ，１４３ｂ，１４４ｂを（例えばアルミ材を押し出して成形する際に）一体形成し、上記のとおり、照明部２００のベース部２２０をねじＴにより固定することで、照明部２００を本体部１００に固定するようにしている。このとき、本体部１００と照明部２００との境界部位となる本体部１００の筺体の上端とベース部２２０の下端との間には、防水シートや防水シール材等を設けて防水機能を発揮させることが望ましい。同様に、照明部２００自体においても、カバー部２１０とベース部２２０との間、並びに、カバー部２１０とキャップｂ２３０との間には、防水シートや防水シール材等を設けて防水機能を発揮させることが望ましい。また、本体部１００において、給水系統部品を内装するために漏水等による電気部品等への影響が懸念される第１収納空間には、その内部に（許容できない水位まで）水が溜まった場合にその水を即座に外部に排出するための水抜き孔１１１ｄが、上記のように第１パネル１１０の支持部１１１の所定高さ位置に形成され、更に、（好ましくは）水抜き孔１１１ｄからの外部への一方向のみの排水を許容する（かつ、外部からの異物の侵入を阻止する）ための結露排水弁等の一方向弁装置が装着されている。
【００５５】
加えて、水栓柱の外部から照明部２００のＬＥＤモジュール２４０への配線は、前記ＥＥスイッチを経由してＬＥＤモジュール２４０に接続されるが、このＥＥスイッチは、ＬＥＤモジュール２４０による照明部２００のＬＥＤ照明の照度センサー機能、タイマー機能、スイッチ機能を備えている。ＥＥスイッチの照度センサー機能は、水栓柱の周辺が暗くなると（夕方になると）照度センサーがその照度低下を感知し、照明部２００のスイッチをオンする（即ち、ＬＥＤモジュール２４０を点灯する）。一方、照度センサーは、水栓柱の周辺が明るくなるとその照度増加を感知し、照明部２００のスイッチをオフする（即ち、ＬＥＤモジュール２４０を消灯する）。また、ＥＥスイッチのタイマー機能は、内蔵したタイマーにより、照度センサーによってスイッチがオンとなった照明部２００のＬＥＤ照明を、当該スイッチがオンになってから所定時間（例えば、１時間等）経過後にオフにするかを設定することができる機能であり、水栓柱の周辺が明るくなるまで連続的に照明部２００の照明をオンにしたくない場合等に活用できる。また、照明部２００からの光は、水栓柱の取付部品を照明する主機能に加え、付随的に水栓柱の周辺を照明する機能をも備えることになるが、水栓柱の周囲に誰も人がいない場合にまで照明部２００の照明を継続するのは、省エネの風潮にそぐわないことから、タイマー機能によって節電に貢献することができるという効果も発揮することができる。更に、ＥＥスイッチのスイッチ機能は、手動により照明部２００のＬＥＤ照明をオン又はオフに切り換えることができる機能である。照明部２００の照明制御機能として、上記照度センサー機能及びタイマー機能のみ付設した場合、旅行中等、照明部２００の照明を付けたくない場合でも、照度センサーが自動的に照度を感知して照明をオンしてしまうが、本実施の形態では、手動のスイッチにより不要時は照明部２００の照明を強制的にオフすることができる。また、主導のスイッチがない場合、水栓柱へ配線される電源装置そのものの電源をオフすることも可能ではあるが、この場合、１００ＶコンセントＣ１や２００ＶコンセントＣ２を利用したい場合等に対応ができなくなるため、やはり、照明部２００のＬＥＤ照明専用の手動スイッチを設けることが効果的である。
【００５６】
［電線］
本実施の形態の水栓柱は、電気系統部品として、電熱線１６０、１００ＶコンセントＣ１、２００ＶコンセントＣ２及びＬＥＤモジュール２４０の合計４点の給電が必要な電気系統部品を備えている。よって、本実施の形態の水栓柱は、これら合計４個の電気系統電部品にそれぞれ所定電圧の給電を行うため、合計４本の電線を配設する必要があり、本体部１００の筺体の内部には、合計４本の電線が、前記第１〜第３収納空間内に区分して収納されて配線されている。具体的には、本体部１００の第１収納空間には、電熱線１６０への給電用の電線（図示略）が、第１収納空間の下端付近から（例えば第１パネル１１０に設けた専用の電線挿通口を介して、或いは、図４（ａ）の底面図に示すように第１収納空間の下端に形成される開口を介して）上方に挿通され、電熱線１６０に接続される。また、本体部１００の第２収納空間には、１００ＶコンセントＣ１への給電用の電線Ｗ１が、上記のように、第２パネル１２０の電線挿通口１２１ｃから上方に挿通され、１００ＶコンセントＣ１に接続される。更に、本体部１００の第３収納空間には、２００ＶコンセントＣ２への給電用の電線Ｗ２が、上記のように、第３パネル１３０の電線挿通口１３１ｃから上方に挿通され、２００ＶコンセントＣ２に接続される。ここで、電熱線１６０と１００ＶコンセントＣ１とは、共に１００Ｖの商用電源を使用するため、それらの電線を１本にまとめて兼用することができる。一方、照明部２００のＬＥＤ照明用の電線は、ＥＥスイッチにより電源のオン・オフを制御しているため、他の電線と１本にまとまることはできない。また、２００ＶコンセントＣ２用の電線Ｗ２も、他の電気系統部品と使用電圧が異なるため、他の電線と１本にまとめることはできない。
【００５７】
［水栓柱の施工］
本実施の形態の水栓柱は、例えば、図２２〜図２４に示すように、本体部１００の下端側の所定長さ部分（水抜き孔１１１ｄより下方となる部分）が、設置場所の設置面ＧＬより下方となるよう設置場所の地中に埋設して固定する。このとき、水栓柱を強固に設置場所に固定するため、設置場所の埋設部分は、まず、水栓柱の埋設深さよりも更に下方の位置まで地面を掘削して埋設用凹部を形成し、その埋設用凹部の底面の上にクラッシャーラン（砕石）を敷き詰めて基礎層としての砕石層ＣＲとした後、更に、その砕石層ＣＲの上に空練りモルタル（加水せずにセメント及び骨材を混練したモルタル）からなるモルタル層ＭＲを形成する。埋設用凹部におけるモルタル層ＭＲの上面位置は、水栓柱の埋設深さ位置と同一とする。そして、水栓柱を埋設用凹部のモルタル層ＭＲの中心に垂直に立設して設置し、その周囲にコンクリート材料を充填して固化することにより、コンクリート層ＣＮを形成し、コンクリート層ＣＮにより水栓柱を強固かつ安定的に支持する。なお、このとき、水栓柱の設置態様としては、例えば、本体部１００の正面の第１パネル１１０を芯材１４０に組み付けると共に、第１の収納空間内に立上り管１５０を収納して設置した状態とする一方で、第１パネル１１０には上部給水栓ＵＴ及び下部給水栓ＬＴは取付けていない状態とすることができる。そして、かかる水栓柱は、図２３に示すように、埋設用凹部へのコンクリートの充填前に、水栓柱の第１パネル１１０の配管取付孔１１１ｃから露出する下部配管継手１５３に外部の給水管ＷＰを接続する。更に、（このときまでに第１パネル１１０に上部給水栓ＵＴ及び下部給水栓ＬＴは取付けていない場合は）第１パネル１１０の上部給水栓取付孔１１１ａから露出する上部給水管継手１５５に上部給水栓ＵＴを取り付けると共に、第１パネル１１０の下部給水栓取付孔１１１ｂから露出する下部給水管継手１５３に下部給水栓ＬＴを取り付ける。
【００５８】
また、図２４に示すように、上記の埋設用凹部への砕石層ＣＲの形成前に、前記１００ＶコンセントＣ１用の電線Ｗ１と２００ＶコンセントＣ２用の電線Ｗ２とをそれぞれの電源から延設すると共に所定位置（例えば、電源付近の位置）で地中に埋設して、その電線Ｗ１，Ｗ２の延設部分を埋設用凹部の内部まで引き込む。このとき、電線Ｗ１，Ｗ２の埋設用凹部への引き込み部分は、埋設用凹部の底面の所定位置（例えば、底面と側面との境界付近の位置）から上方に引き込み、その所定長部分を埋設用凹部から上方に露出させる。また、このとき、電線Ｗ１及び電線Ｗ２は、それぞれ、ケーブル保護管ＷＣ１及びＷＣ２により外周を完全に被覆する。そして、埋設用凹部の底面に上記のようにして砕石を敷きつめて砕石層ＣＲを形成する際にも、電線Ｗ１，Ｗ２を被覆したケーブル保護管ＷＣ１，ＷＣ２を砕石層ＣＲの上面から上方に引き出しておき、更に、上記のようにしてモルタル層ＭＲを形成する際にも、電線Ｗ１，Ｗ２を被覆したケーブル保護管ＷＣ１，ＷＣ２を上方に引き出しておく。その後、埋設用凹部のモルタル層ＭＲに水栓柱を立設する際に、その水栓柱の本体部１００の筺体の第２の収納空間及び第３の収納空間に電線Ｗ１及び電線Ｗ２を引き込んで、それぞれ、１００ＶコンセントＣ１及び２００ＶコンセントＣ２に上記のようにして接続する。このとき、本体部１００の第２パネル１２０及び第３パネル１３０を芯材１４０から取り外した状態で、（第２パネル１２０及び第３パネル１３０を取り外した状態の）第２の収納空間及び第３の収納空間の下端から上方へと上記電線Ｗ１及び電線Ｗ２を敷設し、第２パネル１２０の裏面から突出する防水ブッシング１２５の通線部１２７及び第３パネルの裏面から突出する防水ブッシング１３５の通線部１３７に、それぞれ、電線Ｗ１及び電線Ｗ２の先端部を挿通し、第２パネル１２０の表面のホルダ部位１２６及び第３パネル１３０の表面のホルダ部１３６から外部に引き出す。
【００５９】
また、このとき、電線Ｗ１及び電線Ｗ２を保護するケーブル保護管ＷＣ１及びケーブル保護管ＷＣ２の先端側の所定長部分を、本体部１００の第２の収納空間及び第３の収納空間の下端から内部に（電線Ｗ１及び電線Ｗ２と共に）引き込み、ケーブル保護管ＷＣ１及びケーブル保護管ＷＣ２の先端（上端）が、本体部１００内で所定高さ位置まで来るように設置する。このとき、ケーブル保護管ＷＣ１及びケーブル保護管ＷＣ２の上端の高さ位置は、第１パネル１１０の水抜き孔１１１ｄの高さ位置よりも所定距離だけ高い位置、例えば、水抜き孔１１１ｄの高さ位置の１．５倍程度の高さ位置とする（例えば、水抜き孔１１１ｄを設置面ＧＬから上方に約１００ｍｍの高さ位置とした場合、ケーブル保護管ＷＣ１及びケーブル保護管ＷＣ２の上端の高さ位置は設置面ＧＬから上方に約１５０ｍｍの高さ位置とする）。こうすることで、万一、本体部１００の内部に水が溜まった場合でも、その水は、ケーブル保護管ＷＣ１及びケーブル保護管ＷＣ２の上端に達する前に、水抜き孔１１１ｄから外部に排出され、ケーブル保護管ＷＣ１及びケーブル保護管ＷＣ２内の電線Ｗ１及び電線Ｗ２に接触することによる不具合を完全に防止することができる。その後、第２パネル１２０の表面のホルダ部位１２６及び第３パネル１３０の表面のホルダ部１３６から外部に引き出しておいた電線Ｗ１及び電線Ｗ２を、それぞれ、１００ＶコンセントＣ１及び２００ＶコンセントＣ２に引き込んで所定の電気的接続作業を行った後、その１００ＶコンセントＣ１及び２００ＶコンセントＣ２を、それぞれ、第２パネル１２０及び第３パネル１３０に上記のようにして固定する。なお、上記電線Ｗ１及び電線Ｗ２とその外周側のケーブル保護管ＷＣ１及びケーブル保護管ＷＣ２との間の空隙には、それぞれ、パテ等を充填する（パテ詰め等の処理を行う）。
【００６０】
更に、このとき、水栓柱の本体部１００の内部の下端側には、第１〜第３収納空間の全てに、川砂等の詰物ＰＫを所定高さ位置まで充填する。その後、この状態の水栓柱の立設状態で、埋設用凹部のモルタル層ＭＲの上に上記のようにしてコンクリート層ＣＮを形成し、水栓柱を設置場所に完全に固定する。このとき、本体部１００の下端側の内部空間の詰物ＰＫは、本体部１００の埋設部分の周囲のコンクリート層ＣＮと協働して、水栓柱を一層強固に固定すべく機能する。また、水栓柱の設置後、本体部１００の下端側の内部空間の詰物ＰＫは、本体部１００の内部空間に水が進入したり溜まったりした場合に、図２４中の白抜き矢印に示すように、その水を浸透させて下方に案内することで本体部１００の下端から下方に排出する。更に、その水は、水栓柱の下端側の（透水性を有する）モルタル層ＭＲ及び（更に高い透水性を有する）砕石層ＣＲを介して、下方に地中に排出されるため、本体部１００の内部に水が溜まることを効果的に防止することができる。また、このとき、水栓柱の本体部１００の内部空間において、前記詰物ＰＫの上端面の高さ位置は、第１パネル１１０の水抜き孔１１１ｄの高さ位置よりも所定距離だけ低い位置、例えば、水抜き孔１１１ｄの高さ位置の０．８倍未満の高さ位置とする（例えば、水抜き孔１１１ｄを設置面ＧＬから上方に約１００ｍｍの高さ位置とした場合、詰物ＰＫの上端面の高さ位置は設置面ＧＬから上方に約８０ｍｍの高さ位置とする）。こうすることで、詰物ＰＫにより本体部１００の内部の水を本体部１００の下端側から下方に排出する一方で、詰物ＰＫによる排水が間に合わず、本体部１００の内部の水位が上昇した場合に、その水を水抜き孔１１１ｄから迅速に外部に排出することができ、やはり、本体部１００の内部に水が溜まることを効果的に防止することができる。
【００６１】
［多機能と収納性の両立］
上記のとおり、本実施の形態の水栓柱は、従来の水栓柱のように単一の給水栓のみからなる単機能ではなく、従来の給水栓に対応する主給水栓としての上部給水栓ＵＴに加え、給水関連の部材乃至要素として副給水栓としての下部給水栓ＬＴを備えることにより、上部給水栓ＵＴによって通常の高さ位置で給水や散水に使用することができると共に、下部給水栓ＬＴによってより低い高さ位置での給水機能が可能になり、利便性を高めることができる。また、本実施の形態の水栓柱は、これらの主たる給水機能（従来と同様の主機能）及び補助的給水機能（第１の追加機能）に加えて、１００ＶコンセントＣ１及び２００Ｖコンセントの各電気系統部品を設けたことにより、１００ＶコンセントＣ１による１００Ｖ電源（通常電源）の給電機能（第２の追加機能）と、２００ＶコンセントＣＴ２による電気自動車への充電機能等の２００Ｖ電源の給電機能（第３の追加機能）とを提供することができ、より利便性を高めることができる。更に、本実施の形態の水栓柱は、ＬＥＤ照明機能を備える照明部２００による（特に、給水栓やコンセント等の夜間操作を容易にするための）照明機能（第４の追加機能）、電熱線１６０による（特に寒冷地での冬季等の時期における）凍結防止機能（第５の追加機能）、及び、断熱材１７０による断熱機能（特に電熱線を省略した場合の凍結防止機能）（第６の追加機能）からなる合計６つの追加機能を備え、利便性を一層大きく向上している。一方、本実施の形態の水栓柱は、これらの追加機能を提供するための各種部品を追加的に設けたにもかかわらず、それらの部品を収納する本体部１００及び照明部２００の筺体構成を独特の構成とし、特に本体部１００の筺体構成を、芯材１４０に第１〜第３のパネル１１０，１２０，１３０を組み付けることにより、給水系統部品や電気系統部品に最適な収納空間を構築して提供する構成（及び、分解可能な構成）とする独特の筺体構成としたことにより、それらの部品をコンパクトに収納することができると共に、それらの部品の固有の機能を十分に発揮することができるようになっている。
【００６２】
［発明の範囲内での水栓柱の各構成の変更］
本発明の水栓柱は、上記実施の形態に記載した構成の各々について、本発明の課題を達成する課題解決手段を備える構成となる限りにおいて、本発明の範囲内で適宜変更することができる。例えば、上記実施の形態では、図１〜図では、第２パネル１２０に電気関連部品乃至電気系統部品を構成する第１のコンセントとして１００ＶコンセントＣ１を取り付け、第３パネル１３０に電気関連部品乃至電気系統部品を構成する第２のコンセントとして２００ＶコンセントＣ２を取り付ける例が図示されると共に、これとは逆に、図１〜図では、第２パネル１２０に第１のコンセントとして２００ＶコンセントＣ２を取り付け、第３パネル１３０に第２のコンセントとして１００ＶコンセントＣ１を取り付ける例が図示されているが、このように、水栓柱の外側面に取り付ける外部構成部品としての各種の部品については、水栓柱の本来の機能部品である給水栓を水栓柱の正面となる第１パネル１１０に取り付ける限りにおいて、第２パネル１２０及び第３パネル１３０に取り付ける電気関連部品としてのコンセントの種類は上記実施の形態の例に限定されるものではない。また、電気関連部品乃至電気系統部品として、上記１００ＶコンセントＣ１や２００ＶコンセントＣ２以外の電気関連部品を第２パネル１２０及び／又は第３パネル１３０に取り付けることもできる。
【００６３】
更に、上記実施の形態では、芯材１４０の周囲に第１〜第３パネル１１０〜１３０を組み付けて本体部１００の筺体を構成すると共に第１〜第３の収納空間を形成して本体部１００の内部空間を合計３つの収納空間に区画しているが、本体部の内部空間を少なくとも２つ以上の収納空間に区画するよう芯材及び芯材に組み付けるパネルの構成を変更することもできる。例えば、本体部の内部空間を２つの収納空間に区画するよう芯材及び芯材に組み付けるパネルの構成を変更する場合、芯材は、本体部の内部空間を軸心方向に延び、当該本体部の内部空間を複数の収納空間に区画する２つの区画壁を備える一方で、パネルは第１パネル及び第２パネルからなり、第１パネルは、芯材の第１の一対の区画壁の先端間の間隙を閉塞して当該第１の一対の区画壁との間で第１の収納空間を形成し、当該第１の収納空間に前記給水関連部品を収納自在とし、第２パネルは、芯材の第２の一対の区画壁の先端間の間隙を閉塞して当該第２の一対の区画壁との間で第２の収納空間を形成し、当該第２の収納空間に前記コンセント用の給電関連部品を収納自在な構成とすることができる。或いは、本体部の内部空間を４つ以上の収納空間に区画するよう芯材及び芯材に組み付けるパネルの構成を変更することもできる。この場合、芯材は、本体部の内部空間を軸心方向に延び、当該本体部の内部空間を前記４つ以上の収納空間に区画する複数の区画壁を備える一方で、パネルは当該区画数に対応する複数のパネルからなり、各パネルは、芯材の対応する一対の区画壁の先端間の間隙を閉塞して当該一対の区画壁との間で（対応する関連部品を収納するための）収納空間を形成し、当該収納空間に当該関連部品を収納自在な構成とすることができる。
【００６４】
しかし、本発明は、上記実施例のように、第１〜第３パネル１１０〜１３０と芯材１４０とにより第１〜第３の収納空間を本体部１００の内部に区画して形成する構成とすると、本体部１００の内部構造として、内部空間を区画した後の各収納空間の利用効率（収納対象となる関連部品の収納性や収納効率等）を最も上げることができ、また、上記のような給水関連部品や電機関連部品を第１〜第３パネル１１０〜１３０の３つの外側面に組み付けることで、各部品による使用者への利便性を最大限に高めることができ、更に、全体の外形状を上記異形六角形状という独特の形状として、そのデザイン性乃至意匠的効果を大きく高めることができる。特に、この場合、本体部１００において給水系統部品としての立上り管１５０等を収納する第１の収納空間について、上記のように、芯材１４０の保持機能付き区画壁１４１により、管ホルダ１８０との間で、立上り管１５０等の給水管の中心を本体部１００の中心点Ｏから第１パネル１１０側（本体部１００の正面側）に所定距離だけ変位した位置に固定して保持することができるため、給水管の中心を本体部１００の中心付近に配置する場合と比較して、第１の収納空間の容積を減少して、電熱線１６０による給水管の加温効果や断熱材１７０による給水管の断熱効果を高めるという効果等を期待でき、更に、本体部１００において電気関連部品や給電関連部品としての電線等を収納する第２の収納空間及び第３の収納空間については、その分、容積を増大して、電気関連部品や給電関連部品からの発熱等による影響を効果的に抑制できるという効果等を期待できる。更にまた、本体部１００の内部空間が第１〜第３の収納空間の３つに区画され、ベース部２２０の大径の流通開口２２１ａを介して照明部２００の内部空間に大面積で臨む構成となるため、特に、給水関連部品が空間中に占める割合が大きい第１の収納空間と比較して、関連部品の空間中に占める割合が小さい第２の収納空間及び第３の収納空間を利用して、照明部２００の電気関連部品としてのＬＥＤモジュール２４０への給電関連部品としての電線等を、ベース部２２０の流通孔２２１ａを介して、本体部１００の第２の収納空間又は第３の収納空間から、照明部２００内部に引き込んでＬＥＤモジュール２４０に接続することが容易となる。
【００６５】
［発明の代表的な特徴的構成及び特有の効果］
本発明に係る水栓柱は、上記実施の形態の説明で述べた各種の特徴的な構成による特有の作用効果を発揮するが、このうち、特に、以下の特徴的に構成により下記のような特有の作用効果を発揮する。まず、本発明の水栓柱において、本体部１００の外観意匠面となる正面及び背面を各々構成するパネル（上記実施の形態の例では、第１パネル１１０、第２パネル１２０、第３パネル１３０の３枚のパネル）は、全て、共通部品として同様の構造として（上記アルミ材による押出成形等によって）製作乃至製造されており、これにより、水栓柱全体の部品点数の削減とコストの削減とに貢献することができる。例えば、上記実施の形態の例では、第１パネル１１０、第２パネル１２０、第３パネル１３０の３枚のパネルは、全て、同一の断面形状（略チャンネル状）を有する同一高さ寸法のチャンネル板状をなしており、芯材１４０の３つの開口（３枚の係合機能付き区画壁１４２，１４３，１４４の先端間の間隙により形成される３つの縦長長方形状の開口）に嵌合されてそれら３つの開口をそれぞれ遮蔽することができ、上記実施の形態では、芯材１４０の正面側、右背面側及び左背面側の開口に対して、それぞれ、第１パネル１１０、第２パネル１２０及び第３パネル１３０が嵌合により装着されるが、第１〜第３パネル１１０〜１３０は、芯材１４０の他の面の開口に装着することもできる（通常はそのような態様で装着されることはないが、そのような装着方法も可能ではある）。また、本発明の水栓柱は、パネルにコンセントを付設しない場合を想定して、コンセント用の取付孔を形成しない（孔なしタイプの）タイプのパネルを共用部品として用意することができ、こうすることにより、適宜必要なタイプのパネル（孔あきタイプや孔なしタイプのパネル）を使用して、例えば、１００ＶコンセントＣ１を１個だけ１つのパネルに付設する構成の水栓柱や、コンセントがいずれのパネルにも付設されない水栓柱等にも対応できるという利点がある。
【００６６】
また、芯材１４０は、上記のとおり、半円筒状の保持機能付き区画壁１４１の位置関係を設定することにより、保持機能付き区画壁１４１に保持された給水関連部材（立上り管１５０及び断熱材１７０）の中心が、本体部１００の筺体の中心Ｏから偏心するようにしているが、この特徴的構成について以下に更に詳細に説明する。即ち、図２５に示すように、（保持機能付き区画壁１４１及び第１〜第３の係合機能付き区画壁１４２〜１４４により構成される）芯材１４０は、中心から１２０度の間隔で略Ｙ字型に３本乃至３枚の区画壁が延びる構成となる。即ち、保持機能付き区画壁１４１の左半部の四分円弧状部分とこれに連続する第１の係合機能付き区画壁１４２とからなる１枚の異形板状の区画壁が、本体部１００の筺体の中心Ｏから正面の左端に向かって延び、保持機能付き区画壁１４１の右半部の四分円弧状部分とこれに連続する第２の係合機能付き区画壁１４３とからなる１枚の異形板状の区画壁が、本体部１００の筺体の中心Ｏから正面の右端に向かって延び、第３の係合機能付き区画壁１４４が、本体部１００の筺体の中心Ｏから背面の中央に向かって延びることになる。そして、芯材１４０における保持機能付き区画壁１４１の配置位置は、その断面半円形状内に給水管（立上り管１５０）を嵌合したときに、当該給水管の中心ＰＯが、本体部１００の筺体の中心Ｏ（これは芯材１４０自体のの中心でもある）に対して所定距離ＣＧ（例えば、約１３ｍｍ）だけ正面側に変位した位置に配置されるよう、意図的にずらした（変位した）位置に配設されている。これにより、保持機能付き区画壁１４１の正面側（給水管の保持側）と反対側である背面側に位置する第２の収納空間及び第３の収納空間のそれぞれの区画スペースを、前記変位分（所定距離ＣＧの距離分）だけ広く確保することができる。
【００６７】
ここで、本体部１００の第２の収納空間及び第３の収納空間は、それぞれ、前記１００ＶコンセントＣ１や２００ＶコンセントＣ２の電線Ｗ１，Ｗ２等の電線を挿通して配設する空間として機能するが、実際の施工時には、電線（電線Ｗ１，Ｗ２のほか、ＬＥＤ照明用の電線を含むこともある）を保護管としてのＰＦ管（蛇腹状の樹脂管）ＰＦ１，ＰＦ２に挿通した状態で第２の収納空間及び第３の収納空間内に配設することで、電線の破損等を防止してより安全性を確保している（例えば、図２４に示すようにケーブル保護管ＷＣ１，ＷＣ２としてのＰＦ管により電線Ｗ１，Ｗ２を被覆保護した状態で、これらのＰＦ管を本体部１００の第２の収納空間及び第３の収納空間内に配設する）。なお、このとき、図２４に示すように、電線を保護するＰＦ管を一層安全に使用するためには、本体部１００の筺体の内部の下端から少なくとも所定距離だけ上方の位置（少なくとも、第１パネル１１０の水抜き穴１１１ｄより上方の位置）まで、ＰＦ管を進入させて立ち上げる必要がある。そして、この場合、図２５に示すように、水栓柱の寸法（即ち、本体部１００の寸法）に合わせて設定されるＰＦ管ＰＦ１，ＰＦ２の規格最小寸法（例えば、φ３３．５ｍｍ）によれば、芯材１４０の保持機能付き区画壁１４１を上記のように変位しない場合、当該（蛇腹環状で外周面を波形状の凹凸面としている）ＰＦ管ＰＦ１，ＰＦ２は、その凸部分が本体部１００の筺体内の収納空間内で内壁面に当接したり衝突したりして、当該収納空間内に円滑に挿通できない事態が想定されるが、本発明の水栓柱は、芯材１４０の保持機能付き区画壁１４１を上記のように（ＰＦ管の最小規格寸法の約３５〜４５％の距離、好ましくは、約４０％の距離だけ）変位しているため、ＰＦ管ＰＦ１，ＰＦ２と第２及び第３の収納空間の内壁面との間には十分なスペース（所定の間隙）が確保されることになり、当該ＰＦ管ＰＦ１，ＰＦ２は、その凸部分が本体部１００の筺体内の第２及び第３の収納空間内でそれぞれ内壁面に当接したり衝突したりすることはなく、ＰＦ管ＰＦ１，ＰＦ２を第２及び第３の収納空間内にそれぞれ円滑に挿通して配設することができる。また、このような芯材１４０の保持機能付き区画壁１４１の変位寸法によれば、本体部１００の第１の収納空間内に給水関連部品（立上り管１５０等）を収納するスペースも最低限必要なだけ確保することができ、給水関連部品の配設上の不具合を生じることもない。
【００６８】
更に、図２５に示すように、芯材１４０に第１〜第３パネル１１０〜１３０を組み付けて本体部１００を組み立てた状態で、第１〜第３パネル１１０〜１３０同士の隙間乃至境界部分で、芯材１４０の境界画定部１４２ｃ，１４３ｃ，１４４ｃが、スリット状の境界線部ＢＬ１，ＢＬ２，ＢＬ３として表れ、本体部１００の前記副外側面１００Ｄ，１００Ｅ，１００Ｆの各々に置いてその幅方向中でスリット状の外観意匠を表現するようになっている。これにより、（外観意匠を構成するパネルが単色となる場合が一般的であるために）基本的に単色にならざるを得ない水栓柱というカテゴリの製品において、前記芯材１４０の色を第１〜第３パネル１１０〜の色と異なる色とすることにより、その境界画定部１４２ｃ，１４３ｃ，１４４ｃによるスリット状の境界線部ＢＬ１，ＢＬ２，ＢＬ３によって、本体部１００の外側面の三方で異なる色からなるスリット状乃至幅狭線状の外観を表現することができ、水栓柱全体に独特の意匠的効果を付与することができ、また、かかる意匠的効果を発揮する構造により、水栓柱としての外観意匠の色展開（カラー展開）も一層自由に幅広く提供することができる。
【符号の説明】
【００６９】
１００：本体部
１１０：第１パネル、１２０：第２パネル、１３０：第３パネル、１４０：芯材
１５０：立上り管（給水関連部品）、１６０：電熱線（電気関連部品）
１７０：断熱材（給水関連部品）、１８０：管ホルダ（給水関連部品）
Ｃ１：１００Ｖコンセント、Ｃ２：２００Ｖコンセント
Ｗ１：電線（給電関連部品）、Ｗ２：電線（給電関連部品）
２００：照明部、２４０：ＬＥＤモジュール
【図１】
2014163058.tif 000003
【図２】
2014163058.tif 000004
【図３】
2014163058.tif 000005
【図４】
2014163058.tif 000006
【図５】
2014163058.tif 000007
【図６】
2014163058.tif 000008
【図７】
2014163058.tif 000009
【図８】
2014163058.tif 000010
【図９】
2014163058.tif 000011
【図１０】
2014163058.tif 000012
【図１１】
2014163058.tif 000013
【図１２】
2014163058.tif 000014
【図１３】
2014163058.tif 000015
【図１４】
2014163058.tif 000016
【図１５】
2014163058.tif 000017
【図１６】
2014163058.tif 000018
【図１７】
2014163058.tif 000019
【図１８】
2014163058.tif 000020
【図１９】
2014163058.tif 000021
【図２０】
2014163058.tif 000022
【図２１】
2014163058.tif 000023
【図２２】
2014163058.tif 000024
【図２３】
2014163058.tif 000025
【図２４】
2014163058.tif 000026
【図２５】
2014163058.tif 000027